(57)【要約】【課題】  カメラボディと撮像ユニットとの対応関係をより緩やかにして、様々な撮像ユニットを組み合わせることが容易でかつカメラボディに対する撮像ユニットの誤操作を回避しつつ着脱操作を容易に行うことができるカメラボディを提供する。【解決手段】  本発明のカメラボディ１は、直方体形状の筐体２Ａに光学系と撮像素子とが設けられた撮像ユニット２を着脱可能な凹部１Ａを有する。この凹部１Ａは、カメラボディ１に撮像ユニット２を装着してこれを正面から見たとき、筐体２Ａの背面が対向する背壁部１Ｂと、筐体２Ａの左側面が対向する側壁部１Ｃと、筐体２Ａの上面が対向する上壁部１Ｄとの三つの壁部から構成されている。側壁部１Ｃと上壁部１Ｄとの交差部分に、撮像ユニット２をロックするロック機構のロックを解除するロック解除操作部材２６ｄが配設されている。【選択図】  図３
2010239170.tif 000002
【特許請求の範囲】
【請求項１】
直方体形状の筐体に光学系と撮像素子とが設けられた撮像ユニットを着脱可能に配設する凹部が設けられ、前記撮像ユニットと一体化されて被写体を撮影する撮像装置として用いられるカメラボディであって、
前記凹部は、該凹部に前記撮像ユニットを装着して前記光学系の光軸方向被写体側から見たときに、前記筐体の背面が対向する背壁部と、前記筐体の左側面が対向する側壁部と、前記筐体の上面が対向する上壁部との三つの壁部から構成され、
前記撮像ユニットに形成された被ロック部材と協働して前記撮像ユニットをロックするロック部材を備え、
前記側壁部と前記上壁部との交差部分に、前記ロック機構による前記カメラボディと前記撮像ユニットとのロックを解除するロック解除操作部材が配置されていることを特徴とするカメラボディ。
【請求項２】
前記側壁部に連接して使用者が握持するグリップ部を備え、前記グリップ部は前記光学系の光軸方向の被写体へ向かう向きに向かって膨出するグリップ突部を有し、前記ロック解除操作部材は、前記上壁部が存在する側を上側として、前記グリップ部の上方に位置していることを特徴とする請求項１に記載のカメラボディ。
【請求項３】
前記グリップ部は前記グリップ突部に隣接したグリップ凹部を有し、該グリップ凹部は、前記上壁部が存在する側を上側として、前記ロック解除操作部材よりも下側に位置していることを特徴とする請求項２に記載のカメラボディ。
【請求項４】
前記側壁部に向かって前記撮像ユニットを接近させる方向に、当該撮像ユニットを移動させることによって、前記ロック部材が移動し、該ロック部材と前記被ロック部材とが係合されることを特徴とする請求項２に記載のカメラボディ。
【請求項５】
前記撮像ユニットを前記凹部に装着して当該撮像ユニットを正面から見た状態で、前記ロック解除操作部材を右側に操作することによりロックが解除されることを特徴とする請求項１ないし請求項４のいずれか１項に記載のカメラボディ。
【請求項６】
前記撮像ユニットを前記凹部に配置して当該撮像ユニットを正面から見た状態で、前記ロック解除操作部材を左側に操作することによりロックが解除されることを特徴とする請求項１ないし請求項４のいずれか１項に記載のカメラボディ。
【請求項７】
前記ロック解除操作部材が、前記グリップ部の外観形状に倣うようにして回動されるロック解除ボタンを有することを特徴とする請求項２ないし請求項６のいずれか１項に記載のカメラボディ。
【請求項８】
前記ロック解除ボタンの回動平面と略同一平面内で前記ロック部材が回動されることを特徴とする請求項７に記載のカメラボディ。
【請求項９】
前記ロック部材と前記ロック解除操作部材とが同一支軸に回動可能に支持されていることを特徴とする請求項７に記載のカメラボディ。
【請求項１０】
前記ロック解除操作部材は、該ロック解除操作部材を回動可能にするロック解除許容部を備えることを特徴とする請求項１ないし請求項５、請求項７ないし請求項９のいずれか１項に記載のカメラボディ。
【請求項１１】
前記ロック解除許容部は、ロックを解除する操作方向への動作を許可する出没突起を有し、該出没突起の埋没方向への操作によりロックを解除する操作方向への動作が許可されることを特徴とする請求項１０に記載のカメラボディ。
【請求項１２】
直方体形状の筐体に光学系と撮像素子とが設けられた撮像ユニットであって、
前記撮像ユニットを着脱可能に配設する凹部が設けられたカメラボディと一体化されて被写体を撮影する撮像装置として機能し、前記カメラボディが備えるロック部材と係合する被ロック部材を備えることを特徴とする撮像ユニット。
【請求項１３】
前記筐体の左側面に、前記カメラボディに設けられたボディ側コネクタ部に電気的に接続されるユニット側コネクタ部が突出して設けられ、前記被ロック部材が前記ユニット側コネクタ部の壁面に沿って配置されることを特徴とする請求項１２に記載の撮像ユニット。
【請求項１４】
前記筐体の上面に板金部材が設けられ、該板金部材は前記筐体の左側面よりも外方向に向かって延伸する延伸部を有し、該延伸部に前記被ロック部材が形成されていることを特徴とする請求項１３に記載の撮像ユニット。
【請求項１５】
前記延伸部は前記筐体の上面から前記筐体のコネクタ部の上面に向かって延在され、前記被ロック部材と前記ロック部材とは、前記カメラボディに対するロック時に前記筐体のコネクタ部の上面に位置していることを特徴とする請求項１４に記載の撮像ユニット。
【請求項１６】
前記被ロック部材と前記ロック部材とは、前記カメラボディに対する前記筐体のロック時に前記凹部内で係合していることを特徴とする請求項１２ないし請求項１５のいずれか１項に記載の撮像ユニット。
【請求項１７】
請求項１ないし請求項１１のいずれか１項に記載のカメラボディと請求項１２ないし請求項１６のいずれか１項に記載の撮像ユニットとの組み合わせからなる撮像装置。
【請求項１８】
直方体形状の筐体に光学系と撮像素子とが設けられた撮像ユニットと、該撮像ユニットが着脱可能に配設される凹部を有するカメラボディとを含み、前記撮像ユニットを前記カメラボディに装着して被写体像を撮像する撮像装置であって、
前記凹部は、該凹部に前記撮像ユニットを装着して前記光学系の光軸方向被写体側から見たときに、前記筐体の背面が対向する背壁部と、前記筐体の左側面が対向する側壁部と、前記筐体の上面が対向する上壁部との三つの壁部とを有し、
前記撮像ユニットに形成された被ロック部材と協働して前記撮像ユニットをロックするロック部材を備え、
前記側壁部と前記上壁部との交差部分に、前記ロック機構による前記カメラボディと前記撮像ユニットとのロックを解除するロック解除操作部材が配置されていることを特徴とする撮像装置。
【請求項１９】
前記カメラボディには前記側壁部にボディ側コネクタ部が設けられ、前記筐体の左側面には前記ボディ側コネクタ部と電気的に接続されて通信を行うユニット側コネクタ部が設けられ、
前記側壁部に向かって前記撮像ユニットを接近させる方向に、前記撮像ユニットを移動させることで、前記ボディ側コネクタ部と前記ユニット側コネクタ部とが接続されることを特徴とする請求項１８に記載の撮像装置。
【請求項２０】
前記側壁部に向かって前記撮像ユニットを接近させる方向が、前記レンズ系の光軸に対して垂直であることを特徴とする請求項１９に記載の撮像装置。
【請求項２１】
前記撮像ユニット及び前記カメラボディのいずれか一方が、前記側壁部に向かって前記撮像ユニットを接近させる方向に延びる係合溝と、係合付勢部材とを備え、前記撮像ユニット及び前記カメラボディのいずれか他方が、前記係合溝に挿入される係合固定部材を備え、
前記係合固定部材が前記係合溝に挿入された状態で、前記側壁部に向かって前記撮像ユニットを接近させた場合に、前記係合付勢部材が前記係合固定部材を前記光学系の光軸方向へ付勢することを特徴とする請求項１８ないし請求項２０のいずれか１項に記載の撮像装置。
【請求項２２】
前記係合固定部材と前記係合溝とがそれぞれ複数設けられ、前記係合固定部材のうちの少なくとも２つの係合固定部材が、前記側壁部に向かって前記撮像ユニットを接近させる方向に対して垂直な方向に間隔を開けて設けられることを特徴とする請求項２１に記載の撮像装置。
【請求項２３】
前記撮像ユニット及び前記カメラボディのいずれか一方が、前記側壁部に向かって前記撮像ユニットを接近させる方向に延びるガイド溝を備え、前記撮像ユニット及び前記カメラボディのいずれか他方が、前記ガイド溝に挿入されるガイド部材を備え、
前記ガイド部材が前記ガイド溝に挿入された状態で、前記側壁部に向かって前記撮像ユニットを接近させた場合に、前記ガイド部材と前記ガイド溝とが摺動することを特徴とする請求項１８ないし請求項２２のいずれか１項に記載の撮像装置。
【請求項２４】
前記ガイド部材と前記ガイド溝とがそれぞれ複数設けられ、前記ガイド部材のうちの少なくとも２つのガイド部材が、前記側壁部に向かって前記側壁部に向かって前記撮像ユニットを接近させる方向に対して垂直な方向に間隔を開けて設けられ、前記ガイド溝のうちの少なくとも２つのガイド溝が、前記側壁部に向かって前記撮像ユニットを接近させる方向に対して垂直な方向に間隔を開けて設けられていることを特徴とする請求項２３に記載の撮像装置。
【請求項２５】
前記筐体の背面には、互いに上下方向に間隔を開けて対向する一対の係合爪と、互いに上下方向に間隔を開けて対向しかつ左右方向に延びる一対の摺接リブとが形成され、
前記背壁部には、矩形状の板金部材が設けられると共に、前記一対の摺接リブと前記一対の係合爪とが挿入される一対の挿入溝が上下方向に間隔を開けてかつ左右方向に延びるようにして形成され、前記板金部材には前記一対の係合爪と係合する一対の係合板部が上下方向に間隔を開けて形成され、該一対の係合板部には前記一対の係合爪と協働して前記撮像ユニットを前記背壁部に向けて付勢する付勢板バネが設けられ、前記板金部材はその上辺の縁壁と下辺の縁壁とが前記一対の摺接リブにそれぞれ摺接する摺接部とされ、
前記側壁部に向かって前記撮像ユニットを接近させる方向に該撮像ユニットを移動させることで、前記撮像ユニットが前記カメラボディに装着されることを特徴とする請求項１８又は請求項１９に記載の撮像装置。
【請求項２６】
前記筐体の左側面と前記側壁部とのいずれか一方に嵌合凸部が設けられ、前記側壁部と前記左側面とのいずれか他方に前記嵌合凸部と嵌合する嵌合凹部が設けられている請求項１８ないし請求項２５のいずれか１項に記載の撮像装置。
【請求項２７】
前記嵌合凸部と前記嵌合凹部とがそれぞれ複数設けられ、前記嵌合凸部のうちの少なくとも２つの嵌合凸部が、前記側壁部に向かって前記撮像ユニットを接近させる方向に対して垂直な方向に間隔を開けて設けられ、前記嵌合凹部のうちの少なくとも２つの嵌合凹部が、前記側壁部に向かって前記撮像ユニットを接近させる方向に対して垂直な方向に間隔を開けて設けられていることを特徴とする請求項２６に記載の撮像装置。
【請求項２８】
前記係合板部には、前記付勢バネに隣接して前記一対の係合爪と係合する突起がそれぞれ形成されていることを特徴とする請求項２５に記載の撮像装置。
【請求項２９】
前記筐体の背面に板金部材が設けられ、当該板金部材に前記一対の係合爪が形成されていることを特徴とする請求項１８に記載の撮像装置。
【請求項３０】
前記筐体の背面に板金部材と樹脂板とからなる板金ユニットが設けられ、当該板金部材に前記一対の係合爪が形成され、当該樹脂板に前記一対の摺接リブが形成されていることを特徴とする請求項２５に記載の撮像装置。
【請求項３１】
前記筐体の背面に背面側凹処が設けられ、該背面側凹処に板金部材と樹脂板とからなる板金ユニットが設けられ、当該板金部材に前記一対の係合爪が形成され、当該樹脂板に前記一対の摺接リブが形成されると共に、前記カメラボディの板金部材に接触する接触面部が形成されていることを特徴とする請求項２５に記載の撮像装置。
【請求項３２】
前記樹脂板には前記一対の摺接リブが形成されている面とは反対側の面に、寸法公差に起因する樹脂板の反り返りを防止する半球形状小突部が形成されていることを特徴とする請求項３１に記載の撮像装置。
【請求項３３】
前記嵌合凹部に衝撃吸収部材が配置されていることを特徴とする請求項２６に記載の撮像装置。
【請求項３４】
前記筐体にはその左側面に前記ボディ側コネクタ部に接続されるコネクタ部が設けられ、前記筐体の内部には実装部品を搭載する電装基盤が設けられ、該電装基盤は第１分割基盤と第２分割基盤との２枚の分割基盤を少なくとも含み、前記第１分割基盤と前記第２分割基盤とは、それぞれが光軸に平行な方向に沿って配置され、かつ、光軸に垂直な方向に並べて配置されていることを特徴とする請求項１８に記載の撮像装置。
【請求項３５】
前記第１分割基盤と前記第２分割基盤とを実装部品同士が干渉しないようにして上下に重ねて配置したことを特徴とする請求項３４に記載の撮像装置。
【請求項３６】
前記第１分割基盤と前記第２分割基盤との間に可動鏡筒を配置したことを特徴とする請求項３４に記載の撮像装置。
【請求項３７】
前記撮像素子と前記電装基盤とをフレキシブルプリント基盤を介して接続したことを特徴とする請求項３５又は請求項３６に記載の撮像装置。
【請求項３８】
前記筐体には前記コネクタ部を取り付けるコネクタ基盤が設けられ、前記第１分割基盤と前記第２分割基盤とがフレキシブルプリント基盤を介して接続され、該フレキシブルプリント基盤と前記コネクタ基盤とは前記可動鏡筒を境にして互いに反対側に配置されていることを特徴とする請求項３６に記載の撮像装置。
【請求項３９】
前記第１分割基盤には少なくとも画像処理チップが実装され、前記第２分割基盤には少なくとも電源回路を構成する回路部品が実装され、前記コネクタ基盤と前記第１分割基盤とはフレキシブルプリント基盤を介して電気的に接続され、前記コネクタ基盤と前記第２分割基盤とはリード線を介して接続されていることを特徴とする請求項３８に記載の撮像装置。
【請求項４０】
前記カメラボディが、撮像指示を受け付ける撮像指示受付部と、データを受信する受信部とを備え、前記撮像ユニットがデータを送信する送信部を備え、
前記撮像指示受付部が受け付けた撮像指示に基づいて、前記撮像ユニットが被写体像を撮像して画像データに変換し、前記送信部が前記受信部に前記画像データを送信することを特徴とする請求項１８ないし請求項３９に記載の撮像装置。
【請求項４１】
前記カメラボディが、前記画像データを表示する表示部を備えることを特徴とする請求項４０に記載の撮像装置。
【請求項４２】
前記カメラボディが、前記画像データを記憶する記憶媒体を備えることを特徴とする請求項４０に記載の撮像装置。
【発明の詳細な説明】
【技術分野】
【０００１】
本発明は、撮像ユニットが着脱されるカメラボディ及びこのカメラボディに着脱される撮像ユニット及び撮像ユニットとカメラボディとの組み合わせ体からなる撮像装置の改良に関する。
【背景技術】
【０００２】
従来から、カメラボディに対して撮像ユニットが着脱可能な撮像装置が知られている（例えば、特許文献１参照。）。
【０００３】
この従来の撮像装置では、カメラボディは撮像ユニットを着脱可能に格納する格納凹部を有する。この格納凹部は背壁部と、この背壁部と一体の上壁部と下壁部と側壁部とにより構成されている。そのカメラボディには、側壁部から遠い側に背壁部と上壁部と下壁部とによって構成される着脱開口が設けられている。
【０００４】
撮像ユニットをその着脱開口に臨ませ、背壁部に沿って側壁部に向かって押し込むことにより、撮像ユニットがカメラボディに収容される。その逆に、撮像ユニットを背面壁部に沿って側壁部から遠ざかる方向に引き抜くことにより、撮像ユニットはカメラボディから取り外される。
【発明の概要】
【発明が解決しようとする課題】
【０００５】
しかしながら、この従来の撮像装置では、格納凹部が背壁部と上壁部と下壁部と側壁部との四方向の壁部により囲まれ、カメラボディと撮像ユニットとは一対一の対応関係を強いられているので、撮像ユニットや形状の設計自由度が小さい。
【０００６】
また、カメラボディに対する撮像ユニットの誤操作を回避しつつ着脱操作を容易に行うことができることが望ましい。
【０００７】
本発明は、上記の事情に鑑みて為されたもので、カメラボディと撮像ユニットとの対応関係をより緩やかにして、様々な撮像ユニットを組み合わせることが容易でかつカメラボディに対する撮像ユニットの誤操作を回避しつつ着脱操作を容易に行うことができるカメラボディ、及びこのカメラボディに着脱される撮像ユニット、及び撮像ユニットとカメラボディとの組み合わせ体からなる撮像装置を提供することを目的とする。
【課題を解決するための手段】
【０００８】
請求項１に記載のカメラボディは、直方体形状の筐体に光学系と撮像素子とが設けられた撮像ユニットを着脱可能に配設する凹部が設けられ、前記撮像ユニットと一体化されて被写体を撮影する撮像装置として用いられるカメラボディであって、
前記凹部は、該凹部に前記撮像ユニットを装着して前記光学系の光軸方向被写体側から見たときに、前記筐体の背面が対向する背壁部と、前記筐体の左側面が対向する側壁部と、前記筐体の上面が対向する上壁部との三つの壁部から構成され、
前記撮像ユニットに形成された被ロック部材と協働して前記撮像ユニットをロックするロック部材を備え、
前記側壁部と前記上壁部との交差部分に、前記ロック機構による前記カメラボディと前記撮像ユニットとのロックを解除するロック解除操作部材が配置されていることを特徴とする。
【０００９】
請求項２に記載のカメラボディは、前記側壁部に連接して使用者が握持するグリップ部を備え、前記グリップ部は前記光学系の光軸方向の被写体へ向かう向きに向かって膨出するグリップ突部を有し、前記ロック解除部材は、前記上壁部が存在する側を上側として、前記グリップ部の上方に位置していることを特徴とする。
【００１０】
請求項３に記載のカメラボディは、前記グリップ部は前記グリップ突部に隣接したグリップ凹部を有し、該グリップ凹部は、前記上壁部が存在する側を上側として、前記ロック解除操作部材よりも下側に位置していることを特徴とする。
【００１１】
請求項４に記載のカメラボディは、前記側壁部に向かって前記撮像ユニットを接近させる方向に当該撮像ユニットを移動させることによって、前記ロック部材が移動し、該ロック部材と前記被ロック部材とが係合されることを特徴とする。
【００１２】
請求項５に記載のカメラボディは、前記撮像ユニットを前記凹部に装着して当該撮像ユニットを正面から見た状態で、前記ロック解除操作部材を右側に操作することによりロックが解除されることを特徴とする。
【００１３】
請求項６に記載のカメラボディは、前記撮像ユニットを前記凹部に配置して当該撮像ユニットを正面から見た状態で、前記ロック解除操作部材を左側に操作することによりロックが解除されることを特徴とする。
【００１４】
請求項７に記載のカメラボディは、前記ロック解除操作部材が、前記グリップ部の外観形状に倣うようにして回動されるロック解除ボタンを有することを特徴とする。
【００１５】
請求項８に記載のカメラボディは、前記ロック解除ボタンの回動平面と略同一平面内で前記ロック部材が回動されることを特徴とする。
【００１６】
請求項９に記載のカメラボディは、前記ロック部材と前記ロック解除操作部材とが同一支軸に回動可能に支持されていることを特徴とする。
【００１７】
請求項１０に記載のカメラボディは、前記ロック解除操作部材は、該ロック解除操作部材を回動可能にするロック解除許容部を備えることを特徴とする。
【００１８】
請求項１１に記載のカメラボディは、前記ロック解除許容部は、ロックを解除する操作方向への動作を許可する出没突起を有し、該出没突起の埋没方向への操作によりロックを解除する操作方向への動作が許可されることを特徴とする。
【００１９】
請求項１２に記載の撮像ユニットは、直方体形状の筐体に光学系と撮像素子とが設けられた撮像ユニットであって、
前記撮像ユニットを着脱可能に配設する凹部が設けられたカメラボディと一体化されて被写体を撮影する撮像装置として機能し、前記カメラボディが備えるロック部材と係合する被ロック部材を備えることを特徴とする。
【００２０】
請求項１３に記載の撮像ユニットは、前記筐体の左側面に、前記カメラボディに設けられたボディ側コネクタ部に電気的に接続されるユニット側コネクタ部が突出して設けられ、前記被ロック部材が前記ユニット側コネクタ部の壁面に沿って配置されることを特徴とする。
【００２１】
請求項１４に記載の撮像ユニットは、前記筐体の上面に板金部材が設けられ、該板金部材は前記筐体の左側面よりも外方向に向かって延伸する延伸部を有し、該延伸部に前記被ロック部材が形成されていることを特徴とする。
【００２２】
請求項１５に記載の撮像ユニットは、前記延伸部は前記筐体の上面から前記筐体のコネクタ部の上面に向かって延在され、前記被ロック部材と前記ロック部材とは、前記カメラボディに対するロック時に前記筐体のコネクタ部の上面に位置していることを特徴とする。
【００２３】
請求項１６に記載の撮像ユニットは、前記被ロック部材と前記ロック部材とは、前記カメラボディに対する前記筐体のロック時に前記凹部内で係合していることを特徴とする。
【００２４】
請求項１７に記載の撮像装置は、請求項１ないし請求項１１のいずれか１項に記載のカメラボディと請求項１２ないし請求項１６のいずれか１項に記載の撮像ユニットとの組み合わせからなることを特徴とする。
【００２５】
請求項１８に記載の撮像装置は、直方体形状の筐体に光学系と撮像素子とが設けられた撮像ユニットと、該撮像ユニットが着脱可能に配設される凹部を有するカメラボディとを含み、前記撮像ユニットを前記カメラボディに装着して被写体像を撮像する撮像装置であって、
前記凹部は、該凹部に前記撮像ユニットを装着して前記光学系の光軸方向被写体側から見たときに、前記筐体の背面が対向する背壁部と、前記筐体の左側面が対向する側壁部と、前記筐体の上面が対向する上壁部との三つの壁部とを有し、
前記撮像ユニットに形成された被ロック部材と協働して前記撮像ユニットをロックするロック部材を備え、
前記側壁部と前記上壁部との交差部分に、前記ロック機構による前記カメラボディと前記撮像ユニットとのロックを解除するロック解除操作部材が配置されていることを特徴とする。
【００２６】
請求項１９に記載の撮像装置は、前記カメラボディには前記側壁部にボディ側コネクタ部が設けられ、前記筐体の左側面には前記ボディ側コネクタ部と電気的に接続されて通信を行うユニット側コネクタ部が設けられ、
前記側壁部に向かって前記撮像ユニットを接近させる方向に、前記撮像ユニットを移動させることで、前記ボディ側コネクタ部と前記ユニット側コネクタ部とが接続されることを特徴とする。
【００２７】
請求項２０に記載の撮像装置は、前記側壁部に向かって前記撮像ユニットを接近させる方向が、前記レンズ系の光軸に対して垂直であることを特徴とする。
【００２８】
請求項２１に記載の撮像装置は、前記撮像ユニット及び前記カメラボディのいずれか一方が、前記側壁部に向かって前記撮像ユニットを接近させる方向に延びる係合溝と、係合付勢部材とを備え、前記撮像ユニット及び前記カメラボディのいずれか他方が、前記係合溝に挿入される係合固定部材を備え、
前記係合固定部材が前記係合溝に挿入された状態で、前記側壁部に向かって前記撮像ユニットを接近させた場合に、前記係合付勢部材が前記係合固定部材を前記光学系の光軸方向へ付勢することを特徴とする。
【００２９】
請求項２２に記載の撮像装置は、前記係合固定部材と前記係合溝とがそれぞれ複数設けられ、前記係合固定部材のうちの少なくとも２つの係合固定部材が、前記側壁部に向かって前記撮像ユニットを接近させる方向に対して垂直な方向に間隔を開けて設けられることを特徴とする。
【００３０】
請求項２３に記載の撮像装置は、前記撮像ユニット及び前記カメラボディのいずれか一方が、前記側壁部に向かって前記撮像ユニットを接近させる方向に延びるガイド溝を備え、前記撮像ユニット及び前記カメラボディのいずれか他方が、前記ガイド溝に挿入されるガイド部材を備え、
前記ガイド部材が前記ガイド溝に挿入された状態で、前記側壁部に向かって前記撮像ユニットを接近させた場合に、前記ガイド部材と前記ガイド溝とが摺動することを特徴とする。
【００３１】
請求項２４に記載の撮像装置は、前記ガイド部材と前記ガイド溝とがそれぞれ複数設けられ、前記ガイド部材のうちの少なくとも２つのガイド部材が、前記側壁部に向かって前記側壁部に向かって前記撮像ユニットを接近させる方向に対して垂直な方向に間隔を開けて設けられ、前記ガイド溝のうちの少なくとも２つのガイド溝が、前記側壁部に向かって前記撮像ユニットを接近させる方向に対して垂直な方向に間隔を開けて設けられていることを特徴とする。
【００３２】
請求項２５に記載の撮像装置は、前記筐体の背面には、互いに上下方向に間隔を開けて対向する一対の係合爪と、互いに上下方向に間隔を開けて対向しかつ左右方向に延びる一対の摺接リブとが形成され、
前記背壁部には、矩形状の板金部材が設けられると共に、前記一対の摺接リブと前記一対の係合爪とが挿入される一対の挿入溝が上下方向に間隔を開けてかつ左右方向に延びるようにして形成され、前記板金部材には前記一対の係合爪と係合する一対の係合板部が上下方向に間隔を開けて形成され、該一対の係合板部には前記一対の係合爪と協働して前記撮像ユニットを前記背壁部に向けて付勢する付勢板バネが設けられ、前記板金部材はその上辺の縁壁と下辺の縁壁とが前記一対の摺接リブにそれぞれ摺接する摺接部とされ、
前記側壁部に向かって前記撮像ユニットを接近させる方向に該撮像ユニットを移動させることで、前記撮像ユニットが前記カメラボディに装着されることを特徴とする。
【００３３】
請求項２６に記載の撮像装置は、前記筐体の左側面と前記側壁部とのいずれか一方に嵌合凸部が設けられ、前記側壁部と前記左側面とのいずれか他方に前記嵌合凸部と嵌合する嵌合凹部が設けられていることを特徴とする。
【００３４】
請求項２７に記載の撮像装置は、前記嵌合凸部と前記嵌合凹部とがそれぞれ複数設けられ、前記嵌合凸部のうちの少なくとも２つの嵌合凸部が、前記側壁部に向かって前記撮像ユニットを接近させる方向に対して垂直な方向に間隔を開けて設けられ、前記嵌合凹部のうちの少なくとも２つの嵌合凹部が、前記側壁部に向かって前記撮像ユニットを接近させる方向に対して垂直な方向に間隔を開けて設けられていることを特徴とする。
【００３５】
請求項２８に記載の撮像装置は、前記係合板部には、前記付勢バネに隣接して前記一対の係合爪と係合する突起がそれぞれ形成されていることを特徴とする。
【００３６】
請求項２９に記載の撮像装置は、前記筐体の背面に板金部材が設けられ、当該板金部材に前記一対の係合爪が形成されていることを特徴とする。
【００３７】
請求項３０に記載の撮像装置は、前記筐体の背面に板金部材と樹脂板とからなる板金ユニットが設けられ、当該板金部材に前記一対の係合爪が形成され、当該樹脂板に前記一対の摺接リブが形成されていることを特徴とする。
【００３８】
請求項３１に記載の撮像装置は、前記筐体の背面に背面側凹処が設けられ、該背面側凹処に板金部材と樹脂板とからなる板金ユニットが設けられ、当該板金部材に前記一対の係合爪が形成され、当該樹脂板に前記一対の摺接リブが形成されると共に、前記カメラボディの板金部材に接触する接触面部が形成されていることを特徴とする。
【００３９】
請求項３２に記載の撮像装置は、前記樹脂板には前記一対の摺接リブが形成されている面とは反対側の面に、寸法公差に起因する樹脂板の反り返りを防止する半球形状小突部が形成されていることを特徴とする。
【００４０】
請求項３３に記載の撮像装置は、前記嵌合凹部に衝撃吸収部材が配置されていることを特徴とする。
【００４１】
請求項３４に記載の撮像装置は、前記筐体にはその左側面に前記ボディ側コネクタ部に接続されるコネクタ部が設けられ、前記筐体の内部には実装部品を搭載する電装基盤が設けられ、該電装基盤は第１分割基盤と第２分割基盤との２枚の分割基盤を少なくとも含み、前記第１分割基盤と前記第２分割基盤とは、それぞれが光軸に平行な方向に沿って配置され、かつ、光軸に垂直な方向に並べて配置されていることを特徴とする。
【００４２】
請求項３５に記載の撮像装置は、前記第１分割基盤と前記第２分割基盤とを実装部品同士が干渉しないようにして上下に重ねて配置したことを特徴とする。
【００４３】
請求項３６に記載の撮像装置は、前記第１分割基盤と前記第２分割基盤との間に可動鏡筒を配置したことを特徴とする。
【００４４】
請求項３７に記載の撮像装置は、前記撮像素子と前記電装基盤とをフレキシブルプリント基盤を介して接続したことを特徴とする。
【００４５】
請求項３８に記載の撮像装置は、前記筐体には前記コネクタ部を取り付けるコネクタ基盤が設けられ、前記第１分割基盤と前記第２分割基盤とがフレキシブルプリント基盤を介して接続され、該フレキシブルプリント基盤と前記コネクタ基盤とは前記可動鏡筒を境にして互いに反対側に配置されていることを特徴とする。
【００４６】
請求項３９に記載の撮像装置は、前記第１分割基盤には少なくとも画像処理チップが実装され、前記第２分割基盤には少なくとも電源回路を構成する回路部品が実装され、前記コネクタ基盤と前記第１分割基盤とはフレキシブルプリント基盤を介して電気的に接続され、前記コネクタ基盤と前記第２分割基盤とはリード線を介して接続されていることを特徴とする。
【００４７】
請求項４０に記載の撮像装置は、前記カメラボディが、撮像指示を受け付ける撮像指示受付部と、データを受信する受信部とを備え、前記撮像ユニットがデータを送信する送信部を備え、前記撮像指示受付部が受け付けた撮像指示に基づいて、前記撮像ユニットが被写体像を撮像して画像データに変換し、前記送信部が前記受信部に前記画像データを送信することを特徴とする。
【００４８】
請求項４１に記載の撮像装置は、前記カメラボディが、前記画像データを表示する表示部を備えることを特徴とする。
【００４９】
請求項４２に記載の撮像装置は、前記カメラボディが、前記画像データを記憶する記憶媒体を備えることを特徴とする。
【発明の効果】
【００５０】
請求項１に記載のカメラボディによれば、誤操作が起きにくく、かつ、撮像ユニットの取り外しが容易なカメラを提供できる。
【００５１】
請求項２に記載のカメラボディによれば、より一層誤操作が起きにくく、かつ、撮像ユニットの取り外しが容易なカメラボディを提供できる。
【００５２】
請求項３に記載のカメラボディによれば、グリップ凹部よりも上方の位置でかつグリップ部を握持する際に指が当たりにくい位置に、ロック解除操作部材を設けたので、誤操作の懸念を更に低減できる。
【００５３】
請求項４に記載のカメラボディによれば、ロック部材と被ロック部材との係合が平面内で行われるので、撮像ユニットを左右方向からカメラボディに装着する際に、ロックの確実化を図ることができる。
【００５４】
請求項５に記載のカメラボディによれば、通常撮影時には、操作しにくい右方向が解除操作方向となっているので、グリップ部の通常の握持状態で、撮影時の誤操作に起因して撮像ユニットがカメラボディから不意に脱落する懸念を一層低減できる。
【００５５】
請求項６に記載のカメラボディによれば、通常撮影時に、操作し易い方向が解除操作方向となっているので、カメラボディを持ち替えることなく撮像ユニットをカメラボディから取り外すことができ、撮像ユニットの交換の迅速化を図ることができる。
【００５６】
請求項７に記載のカメラボディによれば、ロック解除操作部材がグリップ部の外観形状に倣うようにして回動されるロック解除ボタンを有するので、デザイン的に周囲にマッチングした形状とすることができ、外観上のアクセントを積極的に付与することができることとなって、見栄えの向上を図ることができる。
【００５７】
請求項８に記載のカメラボディによれば、ロック解除操作部材とロック部材とが同一平面内で可動されるので、ロック解除操作部材に加わる力量を効率よくロック部材に伝達でき、力量ロスの低減に起因する操作品位の低下を予防できる。
【００５８】
請求項９に記載のカメラボディによれば、ロック部材とロック解除操作部材とが同一支軸に回動可能に保持されているので、カメラボディの軸の本数を減らすことができ、部品点数の削減、省スペース化を図ることができる。
【００５９】
更に、ロック部材とロック解除操作部材との係合を確実に図ることができる。すなわち、ロック解除ボタンの操作によるロック部材の空転防止を図ることができる。
【００６０】
請求項１０、請求項１１に記載のカメラボディによれば、ツーアクションによりロックを解除する構成となっているので、ロック解除部材の誤操作のリスクの低減をより一層図ることができる。また、ロック解除部材をツーアクション構造としたので、ロック解除部材の誤操作のリスクの低減をより一層図ることができる。
【００６１】
請求項１２、請求項１３に記載の撮像ユニットによれば、カメラボディと組み合わせて使用するのに好適である。
【００６２】
請求項１４に記載の撮像ユニットによれば、筐体の上面の板金部材に被ロック部材を形成したので、被ロック部材を改めて形成する必要がなく、部品点数の削減を図ることができる。また、この板金部材によって筐体の上面が補強されるので、撮像ユニットの強度を確保できる。
【００６３】
請求項１５に記載の撮像ユニットによれば、コネクタ部に沿わせて被ロック部材が形成されているので、その板金部材の延伸部に意図せぬ厚さ方向の外力が加わった場合でもコネクタ部の変形を防止できる。
【００６４】
また、筐体の左側面から突出するコネクタ部に沿って被ロック部材を形成したので、相対的に、ロック部材を凹部に露出させる必要が回避され、ロック部材に予期せぬ外力が加わることも回避でき、これに起因するロック部材の変形も防止される。
【００６５】
請求項１６に記載の撮像ユニットによれば、カメラボディのロック部材と撮像ユニットの被ロック部材とが凹部内で係合する構成となっているので、通常使用中に使用者が不用意にロック部材と被ロック部材とに触れることを防止でき、ロック部材、被ロック部材の保護を図ることができる。
【００６６】
請求項１７ないし請求項２０に記載の撮像装置によれば、ロック・ロック解除機構がカメラボディの側に設けられているので、カメラボディに対する撮像ユニットのロック解除をカメラボディを握持している状態でも容易に行うことができる。
【００６７】
請求項１８に記載の撮像装置によれば、カメラボディを正面から見たとき、一眼レフレックスカメラの交換鏡胴ユニットの取り外しボタンの位置と比較して同じような位置にロック解除部材が設けられているので、従来の交換レンズ鏡胴式の一眼レフレックスカメラに慣れている人が使用した場合でも、誤操作のリスクを低減できることになり、誤操作によるリスクの軽減を図りつつ撮像ユニットの取り外しの容易な撮像装置を提供できる。
【００６８】
請求項２１、請求項２２、請求項２８に記載の撮像装置によれば、カメラボディに対して撮像ユニットを左右方向からスライドさせてこの撮像ユニットを凹部にセットする際に、カメラボディに対する撮像ユニットの前後方向のガタツキ防止に貢献する。
【００６９】
請求項２３、請求項２４に記載の撮像装置によれば、カメラボディに対して撮像ユニットを左右方向からスライドさせてこの撮像ユニットを凹部にセットする際に、カメラボディに対する撮像ユニットの上下方向のガタツキ防止に貢献する。
【００７０】
請求項２５に記載の撮像装置によれば、カメラボディに対する撮像ユニットの上下左右前後方向のガタツキの低減を図ることができる。
【００７１】
請求項２６、請求項２７に記載の撮像装置によれば、カメラボディに対して撮像ユニットを左右方向からスライドさせて凹部にセットしたときに、カメラボディに対する撮像ユニットの前後方向のガタツキ防止に貢献する。また、両コネクタ部の電気的接合の容易化に貢献する。
【００７２】
請求項２９に記載の撮像装置によれば、筐体の背面に板金部材が設けられているので、筐体を樹脂材料により形成した場合に、筐体の剛性の向上に貢献する。
【００７３】
請求項３０に記載の撮像装置によれば、カメラボディに対して撮像ユニットをスライドさせてこの撮像ユニットを着脱する際に生じる摺接リブと板金部材の縁壁との擦れ合いにより生じる擦過音の低減を図ることができる。
【００７４】
請求項３１に記載の撮像装置によれば、カメラボディに対して撮像ユニットをスライドさせてこの撮像ユニットを着脱する際に生じる擦過音の低減を図ることができる。
【００７５】
請求項３２に記載の撮像装置によれば、カメラボディに向けて撮像ユニットを押しつけつつカメラボディに対してスライドさせて着脱する際に生じる樹脂板の反り返りを低減できる。
【００７６】
請求項３３に記載の撮像装置によれば、カメラボディに撮像ユニットをセットする際の衝撃を緩和することができる。
【００７７】
請求項３４に記載の撮像装置によれば、電装基盤を第1分割基盤と第2分割基盤との２分割構成としたので、筐体を大面積化することなく、実装部品の配置面積の拡大を図ることができる。また、電装基盤を光軸に対して直交する方向に配置したものに較べて光軸方向の筐体の長さを短くできる。
【００７８】
請求項３５に記載の撮像装置によれば、第1分割基盤と第2分割基盤とを重ね合わせて配置した場合でも、第1分割基盤に配設された実装部品間に第2分割基盤に配設された実装部品が位置するように、すなわち、実装部品同士が干渉しないように分割基盤を重ね合わせることにしたので、分割基盤の重ね合わせによる筐体の上下方向の厚さが増すのを防止できる。
【００７９】
請求項３６に記載の撮像装置によれば、可動鏡筒を筐体の中央に配設できるので意匠性に優れている。
【００８０】
請求項３７に記載の撮像装置によれば、撮像素子を電装基盤から分離する構成としたので、レンズ系の光軸調整の容易化、手ぶれ補正機構の構造の複雑化を避けることができる。
【００８１】
請求項３８に記載の撮像装置によれば、電気ノイズの抑制を図ることができる。
【００８２】
請求項３９に記載の撮像装置によれば、コネクタ基盤と実装基盤とを分離して形成したので、コネクタ部が故障した際の交換が容易である。
【００８３】
請求項４０ないし請求項４２に記載の撮像装置によれば、異なる撮像ユニットを同一のカメラボディに装着して被写体の撮像を行うことができる。
【図面の簡単な説明】
【００８４】
【図１（ａ）】図１（ａ）は本発明が適用されるカメラボディと撮像ユニットとの装着状態を示す説明図であって、カメラボディと撮像ユニットとからなる撮像装置を正面側から見た外観図である。
【図１（ｂ）】図１（ｂ）は本発明が適用されるカメラボディと別の撮像ユニットとの装着状態を示す説明図であって、カメラボディと撮像ユニットとからなる撮像装置を正面側から見た外観図である。
【図２】図２は図１に示す撮像ユニットを背面側から見た外観図である。
【図３】図３は図１に示すカメラボディに対する撮像ユニットの装着前の状態又は抜き取り後の状態を示す説明図であって、カメラボディと撮像ユニットとに向かって右斜め方向からこのカメラボディと撮像ユニットとを見た図である。
【図４】図４は図１に示すカメラボディに対する撮像ユニットの装着前の状態又は抜き取り後の状態を示す説明図であって、カメラボディと撮像ユニットとに向かって左斜め方向からこのカメラボディと撮像ユニットとを見た図である。
【図５】図５は本発明が適用されるカメラボディを示す外観図であって、このカメラボディを正面側から見た図である。
【図６】図６は本発明が適用される撮像ユニットの外観図であって、この撮像ユニットを背面側から見た図である。
【図７】図７は本発明が適用されるカメラボディを正面側から見た図である。
【図８】図８は図７に示す板金部材の外観形状を示す斜視図であって、カメラボディ１の正面側から見た図である。
【図９】図９は図７に示す板金部材の外観形状を示す斜視図であって、図８に示す板金部材を裏面側から見た図である。
【図１０】図１０は図８、図９に示す板金部材の断面図である。
【図１１】図１１は図１０に示す板金部材の部分拡大断面図である。
【図１２】図１２は図８、図９に示す係合板部と撮像ユニットとの係合関係を説明するための部分拡大断面図である。
【図１３】図１３は図１に示す撮像ユニットとロック兼用ロック解除部材との噛み合い関係を説明するための斜視図である。
【図１４】図１４は図１３に示すロック兼用ロック解除部材と被ロック部材との噛み合い関係を示す部分拡大図である。
【図１５】図１５は図１４に示すロック部材の平面図である。
【図１６】図１６は図１５に示すロック部材の斜視図である。
【図１７】図１７は図１４に示すロック解除部材の平面図である。
【図１８】図１８は図１７に示すロック解除部材の斜視図である。
【図１９】図１９は本発明に係わる撮像装置の別の例を示す外観図である。
【図２０】図２０は図１９に示すカメラボディの外観図である。
【図２１】図２１は図１９に示す撮像ユニットの外観図である。
【図２２】図２２は図２０に示すロック部材と被係合部材との噛み合い関係を説明するための斜視図である。
【図２３】図２３は図２２に示すロック部材と被係合部材との噛み合い関係を示す部分拡大図である。
【図２４】図２４は図２３に示すロック部材の平面図である。
【図２５】図２５は図２４に示すロック部材の斜視図である。
【図２６】図２６は図２３に示すロック解除部材の平面図である。
【図２７】図２７は図２６に示すロック解除部材の斜視図である。
【図２８】図２８は図１に示すカメラボディと撮像ユニットとからなる撮像ユニットの変形例を示す説明図であって、撮像ユニット側の板金部材の係合爪とカメラボディ側の板金部材の係合板部とに相当する部分を破断して背面側から見た外観図である。
【図２９】図２９は図１に示すカメラボディと撮像ユニットとからなる撮像ユニットの変形例を示す説明図であって、撮像ユニット側の樹脂板の摺接リブの部分を破断して背面側から見た外観図である。
【図３０】図３０は図１、図１９に示す撮像ユニットの変形例を説明するための部分拡大断面図であって、図２９に示す撮像ユニットの破断部分に対応する図である。
【図３１】図３１は図３０に示す板金部材を撮像ユニットの正面側から見た斜視図である。
【図３２】図３２は図３１に示す板金部材を撮像ユニットの背面側から見た斜視図である。
【図３３】図３３は図３０に示す樹脂板を撮像ユニットの背面側から見た斜視図である。
【図３４】図３４は図３０に示す樹脂板を撮像ユニットの正面側から見た斜視図である。
【図３５】図３５は図３２に示す板金部材と図３３に示す樹脂板とを一体化した板金部材ユニットの斜視図である。
【図３６】図３６は図１、図１９に示す撮像装置に内蔵される電装部品の一例を示す回路図である。
【図３７】図３７は図１、図１９に示す撮像装置に内蔵される電装部品の他の例を示す回路図である。
【図３８】図３８は図１、図１９に示す撮像ユニットの筐体内部に配設する電装基盤の第１例を示す模式図である。
【図３９】図３９は図１、図１９に示す撮像ユニットの筐体内部に配設する電装基盤の第２例を示す模式図である。
【図４０】図４０は図３９に示す電装基盤を正面から見た状態を示す模式図である。
【図４１】図４１は図４０に示す電装基盤の配置関係の別の例を示す模式図である。
【図４２】図４２はカメラボディを背面側から目視した状態であってた状態であって電子ビューファインダーのカメラボディへの装着前の状態を示す外観図である。
【図４３】図４３はカメラボディを背面側から目視した状態であって電子ビューファインダーのカメラボディへの装着状態を示す外観図である。
【図４４】図４４はカメラボディを正面側から目視した状態であって電子ビューファインダーのカメラボディへの装着前の状態を示す外観図である。
【図４５】図４５はカメラボディを正面から目視した状態であって電子ビューファインダーのカメラボディへの装着状態を示す外観図である。
【発明を実施するための形態】
【実施例】
【００８５】
（カメラボディ１、撮像ユニット２の概略説明）
図１（ａ）、図１（ｂ）、図２は、本発明に係わる直方体形状の筐体を有する撮像ユニットをカメラボディに装着した状態を示す。
【００８６】
その図１（ａ）、図１（ｂ）、図２において、１はカメラボディ、２は撮像ユニットである。撮像ユニット２は直方体形状の筐体２Ａを有する。ここでは、撮像ユニット２は撮像光学系と撮像素子とを備えた交換レンズ鏡胴ユニットからなる。その筐体２Ａは、その正面２ａにレンズ鏡胴３を有する。撮像ユニット２は、図３、図４に示すように、カメラボディ１に対して着脱可能とされている。そのレンズ鏡胴３は、図１に示すように、案内筒３ａと可動鏡筒３ｂとから構成される。案内筒３ａには可動鏡筒３ｂが光軸Ｏの延びる方向に進退可能に配設される。その可動鏡筒３ｂにはズームレンズ等のレンズ系が設けられる。このレンズ系を含む撮像光学系により、被写体像が撮像素子に結像される。このカメラボディ１には、大きさの異なる撮像ユニット２が交換可能に装着されるようにしても良い（図１（ｂ）参照）。この図１（ｂ）に示す撮像ユニット２は、大きさの異なる撮像素子、大きさの異なるレンズ鏡胴３を有していても良い。その図１（ｂ）には、一例として、図１（ａ）に示す撮像ユニット２のレンズ鏡胴３の大きさと筐体２Ａの大きさとが異なる撮像ユニット２をカメラボディ１に装着した状態が示されている。
（カメラボディ１の詳細説明）
そのカメラボディ１は、図３〜図５に示すように、筐体２Ａの配設空間としての凹部１Ａを有する。その凹部１Ａは、樹脂製の背壁部（背面壁構成体）１Ｂと側壁部（側面壁構成体）１Ｃと上壁部（上面壁構成体）１Ｄとの三つの壁部により構成される。その背壁部１Ｂと側壁部１Ｃとは互いに直交している。その上壁部１Ｄは両壁部１Ｂ、１Ｃに対して直交している。
【００８７】
背壁部１Ｂには、凹部１Ａに撮像ユニット２を装着又は配設してこの撮像ユニット２を正面、すなわち、光学系の光軸方向被写体側から見たときに、筐体２Ａの背面２ｂ（図６参照）が対向する。側壁部１Ｃには、凹部１Ａに撮像ユニット２を配設してこの撮像ユニット２を正面から見たときに、筐体２Ａの左側面２ｃが対向する。上壁部１Ｄには、凹部１Ａに撮像ユニット２を配設してこの撮像ユニット２を正面から見たときに、筐体２Ａの上面２ｄが対向する。
【００８８】
背壁部１Bと側壁部１Cと上壁部１Dとは一体に形成される。凹部１Ａはその背壁部１Ｂと側壁部１Ｃと上壁部１Ｄとによってその輪郭形状が規定される。この凹部１Ａは筐体２Ａが配設されたときに、その筐体２Ａの下面２ｅが位置する下方（Ｙ方向）と、筐体２Ａの右側面２ｆが位置する右側方（Ｘ方向）と、筐体２Ａの正面２ａが位置する前方（Ｚ方向）との三方向に向かって開放されている。
【００８９】
その背壁部１Bと側壁部１Cと上壁部１Dとの適宜箇所にはカメラボディ１、撮像ユニット２を電気的に操作する操作部が設けられている。この実施例では、例えば、その上壁部１Dに、図１〜図４に示すように、操作部としてのレリーズボタン５ｙ、ダイヤル５ｚが設けられている。
【００９０】
背壁部１Bには、図５、図７〜図１１に示すように、背面壁としての板金部材４が設けられている。この板金部材４には、撮像ユニット２をカメラボディ１にセットした時に、その背面２ｂが対面する。この板金部材４は背壁部１Ｂを補強する役割を果たす。その板金部材４は、筐体２Ａの背面形状に対応する概略長方形状の輪郭を呈している。この板金部材４は、例えば、プレスにより成形される。この板金部材４は、図８、図９に示すように、上辺部４ａ、下辺部４ｂ、左辺部４ｃ、右辺部４ｄを有する。その上辺部４ａと下辺部４ｂとは互いに平行にかつ左右方向に長く延びている。その左辺部４ｃと右辺部４ｄとは互いに平行にかつ上下方向に長く延びている。
【００９１】
その上辺部４ａの上縁壁４ａ’と下辺部４ｂの下縁壁４ｂ’とは、撮像ユニット２を左右方向に案内する縁壁としての役割を果たす。その板金部材４には、上辺部４ａと下辺部４ｂとのそれぞれに左右方向に間隔を開けてネジ穴４ｅが適宜形成されている。この板金部材４は、図３〜図５、図７に示すように、ネジ４ｆにより背壁部１Ｂに固定される。
【００９２】
上壁部１Dには、板金部材５が図５に示すようにネジ５ｆにより固定されている。この板金部材５は、筐体２Ａの凹部１Ａへのセット時にその筐体２Ａの上面２ｄに対面する。板金部材５は、上壁部１Dが上側に位置するようにして側壁部１Cを側方から直視したとき前方に向かって背壁部１Ｂから起立しているように見える。
【００９３】
上壁部１Dの前面５ａには、図１、図３に示すように、照明手段としてのストロボ発光部５ｂがその右方に配設されている。なお、ここでは、ストロボ発光部５ｂは上壁部１Dに設けることにして説明したが、このストロボ発光部５ｂは側壁部１Cに設けても良い。ストロボ発光部５ｂを上壁部１Ｄに設けることにより、撮像ユニット２のレンズ系の光軸Ｏよりも上側から被写体を照明でき、被写体の照明を適切に行うことができる。
【００９４】
側壁部１Cには、板金部材６が図３、図５に示すようにネジ６ｆにより固定されている。この板金部材６は筐体２Ａの凹部１Ａへのセット時にその筐体２Ａの左側面２ｃに対面する。この板金部材６は、背壁部１Bが下側に位置しかつ上壁部１Dが右側に位置ししかも前方が上側となるようにして、この板金部材６を直視したときに上方に向かって起立されているように見える。
【００９５】
カメラボディ１は、図１、図３〜図５、図７に示すように、その側壁部１Cに連接するグリップ部１ｃを有する。このグリップ部１ｃは、背面側から正面側に向かう方向を前方と定義して前方、すなわち、光学系の光軸方向の被写体に向かう向きに膨出する膨出部（グリップ凸部）１ｃ’と、膨出部１ｃ’と凹部１Ａとの間に存在する指掛け凹処（グリップ凹部）１ｃ”とからなっている。その指掛け凹処１ｃ”は膨出部１ｃ’に隣接し、その指掛け凹処１ｃ”には、グリップ部１ｃを右手で握持したとき、中指から小指までを当てることが可能である。
【００９６】
グリップ部１ｃの内部には収納室が形成されている。この収納室には、電池、撮像装置に要求される各種の電装部品が内蔵されている。すなわち、この収納室には、電池、操作部の操作により撮像ユニット２を制御するのに用いる回路、撮像ユニット２により撮像された画像を処理する処理回路、撮像ユニット２により撮像されかつ処理回路により処理された画像を記録保存する記録媒体、電源回路、ストロボ制御回路、これらを構成する回路部品を搭載する回路基板等が収納される。
【００９７】
その背壁部１Bの背面には、図２に示すように、撮像ユニット２により撮像された画像データに基づき画像を表示する表示部としての表示面１ｂが設けられている。表示面１ｂには記録媒体に記録された画像が再生表示される。この背壁部１Ｂの大きさは表示面１ｂの大きさによって概略規定されるが、その表示面１ｂは背壁部１Ｂに設けても設けなくとも良い。
【００９８】
この実施例では、表示面としての液晶ディスプレイが背壁部１Ｂに設けられている。更に、背壁部１Ｂの液晶ディスプレイが配置されていない側に板金部材４が設けられている。このような配置にすることにより、板金部材４の大きさをより大きくすることができる。これによって、係合溝同士の上下方向の間隔、又は、挿入溝同士の上下方向の間隔をより広くすることができ、ガタツキの防止効果が向上する。
【００９９】
撮像ユニット２には、図４、図６に示すように、板金部材６に対面する左側面２ｃに上下方向に延びるコネクタ部（ユニット側コネクタ部）１１としての差し込みプラグが設けられている。このコネクタ部１１は電気回路が配線されたコネクタ基板（プラグ基盤セット）に固定されている。このプラグ基盤セットは撮像ユニットの内部にフローティング構造で配置される。コネクタ部１１は左側面２ｃから外方に向かって突出している。
【０１００】
このフローティング構造は、カメラボディ１に撮像ユニットを装着してコネクタ部１１とコネクタ部１２との電気的接合を図る際に、コネクタ部１１とコネクタ部１２との取り付け誤差を吸収緩和して、そのコネクタ部１１とコネクタ部１２とを嵌合させる際に加わる応力を緩和する機能を果たす。
【０１０１】
カメラボディ１には、図３、図５に示すようにその板金部材６に隣接して上下方向に延びるコネクタ部（ボディ側コネクタ部）１２が設けられている。このコネクタ部１２はその上下方向両端部に位置決め突起１２ａ、１２ａを有する。コネクタ部１１はその上下方向両端部に位置決め穴（図示を略す）を有する。コネクタ部１１、１２には、例えば、市販のベイコネクタが用いられる。
【０１０２】
そのコネクタ部１２は背壁部１Bが下側に位置しかつ上壁部１Dが右側に位置ししかも前方が上側に位置するようにして板金部材６を正視したときに背壁部１Ｂから立ち上がって見える側壁部１Ｃの立ち上がり基部に不用意に触られないようにして配置されている。そのコネクタ部１２はコネクタ端子をカバーするカバー部材１２ｂを有する。このカバー部材１２ｂはカメラボディ１に撮像ユニット２を装着するとき、人の手が触れて、人体にたまっている静電気の放電により、電気回路、電気素子等が静電破壊されるのを防止する役割を有する。
【０１０３】
そのコネクタ部１２は凹部１Ａに向かって露呈されている。このコネクタ部１２は、撮像ユニット２をカメラボディ１に装着セットする際の撮像ユニット２の右から左に向かう方向への移動に伴ってコネクタ部１１に嵌合されて、カメラボディ１と撮像ユニット２とが電気的に接続される。なお、そのカメラボディ１への撮像ユニット２のセットの詳細については後述する。
【０１０４】
その背壁部１Ｂには、左右方向に長く延びる一対の挿入溝１３ａ、１３ｂが図７に示すように形成されている。この一対の挿入溝１３ａ、１３ｂは上下方向に互いに間隔を開けて設けられている。一対の挿入溝１３ａ、１３ｂは上縁壁４ａ’、下縁壁４ｂ’に沿って配置される。挿入溝１３ａ、１３ｂは撮像ユニット２のコネクタ部１１に対するカメラボディ1のコネクタ部１２の位置関係を規制しつつこの撮像ユニット２を左右方向に案内するガイド溝としての役割を果たす。なお、その上縁壁４ａ’、下縁壁４ｂ’は、撮像ユニット２の背面に形成された摺接リブ（後述する）が摺接される摺接部としての役割を果たす。
【０１０５】
板金部材４の上辺部４ａと下辺部４ｂとには、図８、図９に示すように、右辺部４ｄに近い側に係合板部８ａ、８ｂが形成されている。係合板部８ａは上縁壁４ａ’から上方向に向かって突出している。係合板部８ｂは下縁壁４ｂ’から下方に向かって突出している。この一対の係合板部８ａ、８ｂは上下方向に間隔を開けて配置されている。この係合板部８ａ、８ｂは撮像ユニット２の背面に形成された係合爪（後述する）と係合して、前後方向のガタツキを防止する機能を果たす。
【０１０６】
その係合板部８ａ、８ｂは、右辺部４ｄに近い側に傾斜壁８ｃを有し、左辺部４ｃに近い側にストッパ壁８ｄを有する。この傾斜壁８ｃとストッパ壁８ｄとの間が係合壁８ｅとなっている。係合壁８ｅには図１０、図１１に示すように突起８ｆが半抜き手段により形成されている。この突起８ｆは係合板部８ａ、８ｂの前側に設けられ、挿入溝１３ａ、１３ｂに向かって突出している。この突起８ｆに隣接して係合付勢部材としての付勢板バネ８ｇが図９、図１２に示すように設けられている。この付勢板バネ８ｇは係合板部８ａ、８ｂの前側に設けられ、上側凹溝としての挿入溝１３ａ、下側凹溝としての挿入溝１３ｂに臨んでいる。挿入溝１３ａ、１３ｂの右方は外部に向かって開放されている。付勢板バネ８ｇの配設位置は突起８ｆの配設位置よりも右辺部４ｄに近い。付勢板バネ８ｇは撮像ユニット２を背壁部１Bに向けて付勢する役割を果たす。突起８ｆはカメラボディ１に対する撮像ユニット２の着脱作業の際、撮像ユニット２の前後方向のガタツキを低減する役割を果たす。挿入溝１３ａ、１３ｂは一対の係合爪（後述する）が係合する係合溝としての役割も果たす。
【０１０７】
係合板部８ａ、８ｂは、カメラボディ１に撮像ユニット２を装着してこの撮像ユニット２がカメラボディ１にロックされている状態で、この撮像ユニット２に前方に向かう方向（図１２において矢印Ｆ１方向）の力を加えたときに、この力による引抜きを防止する機能を、撮像ユニット２に設けられた係合固定部材としての一対の係合爪（後述する）と協働して果たす。
【０１０８】
すなわち、係合付勢部材は係合固定部材が係合溝に挿入された状態で側壁部１Ｃに向かって撮像ユニット２を接近させた場合に、係合固定部材を光学系の光軸方向へ付勢する役割を果たす。係合固定部材は、上記の説明では、一対のもの、すなわち２個として説明しているが、１個でも３個以上でも良く、２個以上の場合には、係合固定部材は側壁部１Ｃに撮像ユニットを接近させる方向に対して垂直な方向に間隔を開けて構成するのが望ましい。係合溝はこの係合部材に対応する位置関係とされる。また、ここでは、係合付勢部材及び係合溝をカメラボディ１に設け、係合固定部材を撮像ユニット２に設ける構成として説明したが、逆の構成でも良い。ガイド部材とガイド溝との構成についても同様である。
【０１０９】
側壁部１Ｃには、図３、図５、図７に示すように、一対の補助嵌合突起（嵌合凸部）１４、１４が上下方向に間隔を開けて形成されている。この補助嵌合突起１４は背壁部１Bが下側に位置しかつ上壁部１Dが右側に位置ししかも前方が上側となるようにして側壁部１Ｃを直視したときにコネクタ部１２よりも上側に位置している。この一対の補助嵌合突起１４、１４は、不用意な捩れ力が撮像ユニット２に加わった際一対の補助嵌合穴と協働して、カメラボディ１のコネクタ部１２のコネクタ端子、撮像ユニット２のコネクタ部１１のコネクタ端子が破壊されるのを防止する機能を有する。
【０１１０】
コネクタ部１２は、上下方向に長く延びる縦長のグリップ部が形成されている側壁部１Ｃの側面に設けられている。このように配置することにより、より大きなコネクタを配置することができる。よって、撮像ユニットとカメラボディとの間のデータ転送速度を速めることができる。
（撮像ユニット２の外観形状の説明）
撮像ユニット２には、板金部材６に対面される左側面２ｃに、図４、図６に示すように、一対の補助嵌合穴（嵌合凹部）２２が形成されている。この一対の補助嵌合穴２２には、カメラボディ１への撮像ユニット２の装着セット時に一対の補助嵌合突起１４、１４が嵌合される。その一対の補助嵌合穴２２の底部には、スポンジ、ゴム等の衝撃吸収部材２２ａが配設されている。なお、一対の補助嵌合穴２２を側壁部１Ｃに形成し、一対の補助嵌合突起１４、１４を筐体２Ａの左側面２ｃに形成する構成を採用しても良い。また、ここでは、嵌合凸部と嵌合凹部とを一対、すなわち、２個として説明しているが、嵌合凸部と嵌合凹部とは各１個でも、３個以上でも良く、複数設ける場合には、撮像ユニット２を側壁部１Ｃに向かって接近させる方向に対して垂直な方向に間隔を開けて配置する構成とするのが望ましい。
【０１１１】
その筐体２Ａの背面２ｂには、図６に示すように、矩形状の板金部材２Ｂが設けられている。この板金部材２Ｂは適宜箇所にネジ穴２ｈ’を有し、止めネジ２ｈにより筐体２の背面２ｂに固定されている。板金部材２Ｂには、ガイド部材としての一対の摺接リブ２３ａ、２３ｂと係合固定部材としての一対の係合爪２３ｃ、２３ｄとが形成されている。一対の摺接リブ２３ａ、２３ｂは互いに上下方向に間隔を開けて対向しかつ左右方向に延びている。
【０１１２】
一対の係合爪２３ｃ、２３ｄは切り起しにより形成される。この一対の係合爪２３ｃ、２３ｄは切り起し部２３ｅと屈曲部２３ｆとを有する。その一対の係合爪２３ｃ、２３ｄも同様に上下方向に間隔を開けてかつ対向して配置されている。その板金部材２Ｂは、一対の摺接リブ２３ａ、２３ｂを形成した箇所と一対の係合爪２３ｃ、２３ｄを形成した箇所とがそれぞれ矩形状の長穴２３ｇ、２３ｈとなっている。一対の摺接リブ２３ａ、２３ｂは挿入溝１３ａ、１３ｂに挿入されて上縁壁４ａ’と下縁壁４ｂ’とにそれぞれ摺接可能とされている。一対の係合爪２３ｃ、２３ｄは付勢板バネ８ｇに係合可能とされている。
【０１１３】
筐体２Ａの上面２ｄには、図６に示すように、板金部材２Ｃが止めネジ２ｊにより固定されている。この板金部材２Ｃは、筐体２Ａの左側面２ｃよりも外方に向かって延長された延長板部（延伸部）２ｍを有する。この延長板部２ｍはコネクタ部１１の上面に沿って延在されている。この延長板部２ｍには、切り欠き部２ｎと被ロック爪２ｐとが形成されている。その切り欠き部２ｎには後述するロック部材としてのロック爪が進入する。その被ロック爪２ｐは後述するロック部材の切り欠き部に進入される。その被ロック爪２ｐは傾斜壁２ｐ’を有する。撮像ユニット２はこのロック部材と被ロック部材との係合によりカメラボディ１に固定される。
（ロック機構２４、ロック解除機構２４’の説明）
カメラボディ１には、図１３、図１４に示すロック機構２４が設けられている。このロック機構２４は、側壁部１Ｃと上壁部１Ｄとの交差部分に位置している。このロック機構２４は、撮像ユニット２をロックする機能を有する。このロック機構２４は、図５に示すように、凹部１Ａに筐体２Ａを配設した状態で筐体２Ａを正面から見たときにこの筐体２Ａに対して左上隅近傍に位置されている。
【０１１４】
そのロック機構２４は、ロック部材（ロック板）２５（図１５、図１６参照）と、支軸２７と、ストッパー２７ａとから概略構成されている。ストッパ２７ａはカメラボディ１に固定されている。そのロック部材２５は被ロック部材としての被ロック爪２ｐと協働して撮像ユニット２をロックする役割を果たす。ロック解除機構２４’は、ロック解除操作部材（ロック解除板）２６（図１７、図１８参照）と、支軸２７と、ストッパー２７ｂとから概略構成されている。そのストッパ２７ｂはカメラボディ１に固定されている。ロック解除操作部材２６はロック部材２５による撮像ユニット２のカメラボディ１に対するロックを解除する役割を果たす。
【０１１５】
カメラボディ１を正面から見たとき、従来の一眼レフレックスカメラの交換鏡胴ユニットの取り外しボタンの位置と比較して同じような位置にロック解除操作部材が設けられているので、従来の交換レンズ鏡胴式の一眼レフレックスカメラに慣れている人が使用した場合でも、撮像ユニット２の取り外し操作を行い易く、誤操作が起きにくい。よって、誤操作によるリスクの軽減を図りつつ撮像ユニットの取り外しの容易なカメラボディ１を提供できる。
【０１１６】
ロック部材２５は、図１５、図１６に示すように、軸穴２５ａと、切り欠き部２５ｂと、ロック爪２５ｃとを有する。軸穴２５ａには支軸２７（図１３、図１４参照）が挿通される。そのロック爪２５ｃの爪先２５ｃ”は、カメラボディ１の背面側から正面側に向かう方向を前方と定義して、前方に向けられている。なお、被ロック爪２ｐの爪先２ｐ”は、撮像ユニット２が凹部１Ａに配置された状態で背壁部１Ｂに臨む方向に向いている。すなわち、被ロック爪２ｐの爪先２ｐ”は、カメラボディ１の正面側から背面側に向かう方向を後方と定義して、後方に向けられている。
【０１１７】
ロック部材２５は、図示を略す付勢手段により、支軸２７を中心にして前方（図１４において矢印Ｆ２方向）に向けて回動付勢されている。ストッパ２７ａはその付勢手段によるそのロック部材２５の回動停止位置を規制する役割を果たす。ロック爪２５ｃと被ロック爪２ｐとが係合していない時には、ロック爪２５ｃは付勢手段の回動付勢によって、ストッパに当接した状態で保持される。
【０１１８】
ロック解除操作部材２６はストッパ２７ａから離反している。ロック爪２５ｃには傾斜壁２５ｃ’が形成されている。この傾斜壁２５ｃ’は、カメラボディ１に対して撮像ユニット２を右から左へ向けて移動させて撮像ユニット２をカメラボディ１に装着セットする際に、傾斜壁２ｐ’と係合して、ロック部材２５を支軸２７を支点にして後方に回動させる分力を生じさせる。
【０１１９】
ロック解除操作部材２６は、図１７、図１８に示すように、軸穴２６ａと、解除突起２６ｂと、係止突起２６ｃと、ロック解除ボタン２６ｄとを有する。軸穴２６ａには、ロック部材２５を回動可能に支持する支軸２７が挿通される。支軸２７は、軸穴２５ａ及び軸穴２６ａに挿入され、カメラボディ１に固定される。解除突起２６ｂは、ロック部材２５の側面２５ｆに当接してロック部材２５を解除方向（Ｆ２と反対方向）に回動させる役割を果たす。係止突起２６ｃにはロック解除用スプリング２８の一端部２８ａが係止される。ロック解除用スプリング２８の他端部２８ｂは側壁部１Ｃの内部の適宜箇所に設けられた係止突起（図示を略す）に係止される。ロック解除用スプリング２８は、ロック解除操作部材２６を支軸２７を中心にして前方に向けて回動付勢する役割を果たす。
【０１２０】
ストッパ２７ｂは、そのロック解除用スプリング２８の回動付勢力によるロック解除操作部材２６の回動停止位置を規制する役割を果たす。このロック解除操作部材２６は、非操作時には、ストッパ２７ｂに当接されている。このロック解除操作部材２６の操作時にはロック解除操作部材２６は、ストッパ２７ｂから離間し、ストッパ２７ａに接近する方向に回動される。このロック解除操作部材２６の操作方向への回動量はストッパ２７ａによって規制される。
【０１２１】
ロック解除ボタン２６ｄは、上壁部１Ｄが存在する側を上にしたとき、指掛け凹処１ｃ”よりも上側に位置している。すなわち、指掛け凹処１ｃ”はロック解除操作部材２６の下側に位置している。そのロック解除ボタン２６ｄは、グリップ部１ｃから外方に向かって突出する指当て部２６ｅを有する。
【０１２２】
グリップ凸部の上方は、通常、撮影の際にグリップ部を把持するための邪魔にならない位置であり、不用意に操作し難い位置であるので、より一層誤操作のリスクを回避しつつ撮像ユニットの取り外しの容易なカメラボディを提供できる。
【０１２３】
更に、グリップ凹部よりも上方の位置でかつグリップ凸部を握持する際に指が当たりにくい位置に、ロック解除操作部材を設けたので、誤操作の懸念を更に低減できる。
【０１２４】
この実施例では、そのロック解除ボタン２６ｄは、グリップ部１ｃの外観形状に倣うようにして回動される。ロック部材２５とロック解除操作部材２６とは、互いに重なり合わされて、支軸２７を支点にして回動され、ロック部材２５はロック解除ボタン２６との回動平面と略同一平面内で回動される。
（カメラボディ１への撮像ユニット２の装着手順）
次に、カメラボディ１に撮像ユニット２をセットする手順について説明する。
【０１２５】
カメラボディ１の背壁部１Ｂを下側にして水平状態にする。たとえば、カメラボディ１を左手に載せて水平状態とする。カメラボディ１に対して撮像ユニット２を図３に示す矢印Ｆ３方向（上から下の方向）から近づけて、一対の摺接リブ２３ａ、２３ｂを一対の挿入溝１３ａ、１３ｂにそれぞれ挿入する。
【０１２６】
ついで、カメラボディ１に対して撮像ユニット２を図３に示す矢印Ｆ４方向（右から左方向）に移動させる。すなわち、側壁部１Ｃに向かって撮像ユニット２を移動させる。つまり、側壁部１Ｃに対して撮像ユニット２をレンズ系の光軸に対して直交する方向から接近させる。その際、撮像ユニット２は、一対の摺接リブ２３ａ、２３ｂが一対の挿入溝１３ａ、１３ｂにそれぞれ挿入された状態のまま、摺接リブ２３ａ、２３ｂが上縁壁４ａ’、下縁壁４ｂ’に摺接しつつ移動される。その移動中に、一対の係合爪２３ｃ、２３ｄが係合板部８ａ、８ｂに接近する。一対の係合爪２３ｃ、２３ｄは、係合板部８ａ、８ｂに当たると、傾斜壁８ｃに案内されて係合壁８ｅに臨む。
【０１２７】
このカメラボディ１に対する撮像ユニット２の装着中、摺接リブ２３ａ、２３ｂの作用によりカメラボディ１に対する撮像ユニット２の上下方向のガタツキが低減される。カメラボディ１に対して撮像ユニット２を右から左方向に移動させると、付勢板バネ８ｇに係合爪２３ｃ、２３ｄが当接される。撮像ユニット２はこの付勢板バネ８ｇの作用により背壁部１Ｂに引き付けられる。これにより、撮像ユニット２の前後方向のガタツキが緩和される。また、その移動作業中、係合爪２３ｃ、２３ｄは図１２に示す突起８ｆにより前後方向（図１２に示す矢印Ｆ１方向及びその反対方向）の移動量の制約を受けるので、カメラボディ１に対する撮像ユニット２の前後方向のガタツキが更に緩和される。
【０１２８】
一対の付勢板バネ８ｇと一対の係合爪２３ｃ、２３ｄとの当接とほぼ同時に、補助嵌合突起１４が補助嵌合穴２２に嵌合される。摺接リブ２３ａ、２３ｂが上縁壁４ａ’、下縁壁４ｂ’に摺接しつつ移動することで、補助嵌合突起１４が補助嵌合穴２２に係合可能な位置を保ったまま、筐体２Ａの左側面２ｃが側壁部１Ｃに対して接近・離脱可能となっている。また、摺接リブ２３ａ、２３ｂが上縁壁４ａ’、下縁壁４ｂ’に摺接しつつ移動することで、コネクタ部１１とコネクタ部１２とが嵌合可能な位置を保ったまま、筐体２Ａの左側面２ｃが側壁部１Ｃに対して接近離脱可能となっている。摺接リブ２３ａ、２３ｂは、カメラボディ１と撮像ユニット２との装着時にガイド手段として機能する。
【０１２９】
この補助嵌合突起１４と補助嵌合穴２２とによって、コネクタ部１２に対するコネクタ部１１の位置規制が概略なされる。ついで、コネクタ部１１、１２同士が互いに嵌合されて、カメラボディ１と撮像ユニット２とが電気的に通信可能に接続される。なお、その補助嵌合突起１４と補助嵌合穴２２との嵌合の際に、補助嵌合穴２２の底部に衝撃吸収部材２２ａが設けられているので、カメラボディ１と撮像ユニット２との衝突による衝撃が緩和される。また、その補助嵌合突起１４と補助嵌合穴２２とによってカメラボディ１に対する撮像ユニット２の前後方向のガタツキが更に緩和される。
【０１３０】
その一方、被ロック爪２ｐの傾斜壁２ｐ’がロック爪２５ｃの傾斜壁２５ｃ’に当接して傾斜壁２５ｃ’に生じる分力が、図示を略す付勢部材によるロック部材２５の回動付勢力よりも大きくなると、ロック部材２５は支軸２７を支点にしてその回動付勢力の作用する方向（図１４において矢印Ｆ２方向）とは反対方向に回動される。
【０１３１】
ついで、被ロック爪２ｐがロック爪２５ｃを乗り越えると、ロック部材２５はその回動付勢力により元の位置に復帰する。その結果、ロック爪２５ｃが切り欠き部２ｎに進入し、被ロック爪２ｐが切り欠き部２５ｂに進入する。これにより、ロック爪２５ｃと被ロック爪２ｐとが噛み合い、撮像ユニット２はカメラボディ１に対して左右方向にロックされる。このロック部材としてのロック爪２５ｃと被ロック部材としての被ロック爪２ｐとによって、カメラボディ１と撮像ユニットとの左右方向のガタツキが制約される。
【０１３２】
この実施例では、撮像ユニット２のカメラボディ１へのロック状態では、一対の係合爪２３ｃ、２３ｄが係合板部８ａ、８ｂに確実に係合している。一対の係合板部８ａ、８ｂは、側壁部１Ｃに形成された一対の補助嵌合突起１４、１４に対して左右方向に大きく離れた位置に形成されているので、撮像ユニット２をカメラボディ１に対して前方側に引き抜こうとしても、その引き抜きに伴う力が分散され、その引き抜きが確実に阻止される。
また、そのコネクタ部１１、１２に、その引き抜きに伴う無理な力が加わるのを阻止できる。
【０１３３】
また、撮像ユニット２の右側の下辺部を手で持って、右下に向けて無理矢理に引き抜こうとしても、一対の補助嵌合突起１４、１４と一対の係合爪２３ｃ、２３ｄと、ロック機構２４とによってその引き抜きが阻止され、コネクタ部１１、１２にその引き抜きに伴う無理矢理な力が加わるのが阻止される。
【０１３４】
側壁部１Ｃに向かって撮像ユニットを移動させるという１つの動作によって、ロック機構２４によるカメラボディ１と撮像ユニット２の機械的な固定と、コネクタ部１１、１２による電気的な接続とがほぼ同時に完了するので、撮像ユニット２のカメラボディ１への装着操作を短時間で容易に行うことができる。
（カメラボディ１からの撮像ユニット２の取り外し手順）
次に、カメラボディ１から撮像ユニット２を取り外す手順について説明する。
【０１３５】
撮像ユニット２が凹部１Ａに配置された状態で撮像ユニット２を正面から見て、ロック解除ボタン２６ｄを右方向（図１においてＦ５方向）に操作する。これにより、ロック解除操作部材２６は支軸２７を支点にしてロック解除用スプリング２８の回動付勢力に対して反対方向（図１４においてＦ２と反対方向）に回動される。すると、解除突起２６ｂがロック部材２５の側面２５ｆに当接する。この解除突起２６ｂのロック解除用スプリング２８の回動付勢力に対して反対方向（図１４においてＦ２と反対方向）への回動により、ロック部材２５は、支軸２７を支点にして切り欠き部２ｎから退避する方向（後方）に回動される。これにより、ロック爪２５ｃと被ロック爪２ｐとの噛み合いが解除される。すなわち、カメラボディ１に対する撮像ユニット２のロックが解除される。この状態で、カメラボディ１に対して撮像ユニット２を左から右方向（図１、図３において、矢印Ｆ４’方向）に移動させる。すると、コネクタ部１１、１２同士の嵌合が解除されると共に、補助嵌合突起１４と補助嵌合穴２２との嵌合も解除される。
【０１３６】
摺接リブ２３ａ、２３ｂがストッパ壁８ｄに当接するまで撮像ユニット２を左から右方向（図１、図３において、矢印Ｆ４’方向）移動させる。その後、撮像ユニット２を背壁部１Ｂから離れる方向（図３においてＦ３と逆の方向）に移動させる。これにより、カメラボディ１に対する撮像ユニット２の取り外しが完了する。なお、ロック解除操作部材２６はロック解除ボタン２６ｄから指を離すと、ロック解除用スプリング２８の付勢力により元の位置に復帰する。また、ロック部材２５も図示を略す回動付勢力により元の位置に復帰する。
【０１３７】
このように、この実施例では、撮影者が右手でグリップ部１ｃを持って、かつ、上壁部１Ｄが上側に位置し、レンズ系を前方の被写体に向けて使用する状態を通常使用状態と定義して、この通常使用時には、使用者が操作しにくい右方向が解除操作方向となっているので、グリップ部１ｃの通常の握持状態で、使用時の誤操作に起因して撮像ユニット２がカメラボディ１から脱落する懸念を低減できる。
（ロック機構２４、ロック解除機構２４’の変形例）
図５、図１３〜図１８に示すロック機構２４では、ロック爪２５ｃの爪先２５ｃ”が図５に示すように背壁部１Ｂに対して反対方向の前方に向く構成とされ、図６に示す被ロック爪２ｐの爪先２ｐ”はロック爪２５ｃの爪先２５ｃ”の向きとは逆向きの構成とされている。  これに対して、図１９に示す撮像装置では、ロック機構２４のロック爪２５ｃの爪先２５ｃ”は、図２０に示すように、背壁部１Ｂに向く構成とされ、撮像ユニット２の被ロック爪２ｐの爪先２ｐ”は、図２１に示すように、図２０に示す爪先２５ｃ”の向きとは逆向きの構成とされている。図２１に示す撮像ユニット２の構成は、爪先２ｐ”の向きが異なる点を除いて図６に示す撮像ユニット２と同一であるので、同一構成要素に同一符号を付して、その説明は省略する。
【０１３８】
図２０に示すカメラボディ１の構成は、ロック機構２４、ロック解除機構２４’の構成が異なる点を除いて図６に示すカメラボディ１と同一であるので、同一構成要素に同一符号を付して、その詳細な説明を省略し、ロック機構２４、ロック解除機構２４’の構成を図２２〜図２７を参照しつつ説明する。
【０１３９】
その図２２〜図２５に示すロック部材２５は、図１３〜図１６に示すロック部材２５に若干の変更を加えたものであり、この図２２〜図２５に示すロック部材２５の主要構成は図１３〜図１６に示すロック部材２５と同一である。図２２、図２３、図２６、図２７に示すロック解除操作部材２６は図１３、図１４、図１７、図１８に示すロック解除操作部材２６に若干の変更を加えたものであり、その図２２、図２３、図２６、図２７に示すロック解除操作部材２６の主要構成は、図１３、図１４、図１７、図１８に示すロック解除操作部材２６と同一である。従って、これらの主要構成には、同一符号を付して、その詳細な説明を省略し、異なる部分について説明する。
【０１４０】
図２２〜図２５に示すロック部材２５には、図２２、図２３、図２６、図２７に示すロック解除操作部材２６の解除突起２６ｂが進入する切り欠き部２５ｅが形成されている。
その切り欠き部２５ｅには、その解除突起２６ｂの当接壁２５ｆ’が設けられている。ロック部材２５は、図示を略す回動付勢手段により、支軸２７を支点にしてその爪先２５ｃ”が背壁部１Ｂに向かう方向に回動付勢されている。ストッパ２７ａはその回動付勢手段によるロック部材２５の回動停止位置を規制する役割を果たす。ロック爪２５ｃと被ロック爪２ｐとが係合していない時には、ロック爪２５ｃは付勢手段の回動付勢によって、ストッパに当接した状態で保持される。ロック解除操作部材２６はその非操作時にはそのストッパ２７ａから離間している。
【０１４１】
ロック解除操作部材２６にはアーム部２６ｆが形成されている。このアーム部２６ｆの自由端部には係止突起２６ｃが形成されている。この係止突起２６ｃにはロック解除スプリング２８の一端部２８ａが係止されている。ロック解除用スプリング２８の他端部２８ｂは側壁部１Ｃの内部の適宜箇所に設けられた係止突起（図示を略す）に係止される。ロック解除操作部材２６は、このロック解除用スプリング２８により支軸２７を支点にして解除ボタン２６ｄが背壁部１Ｂに接近する方向（図２３において矢印Ｆ６方向）に回動付勢されている。ロック解除操作部材２６はその非操作時にはストッパ２７ｂに当接され、ストッパ２７ｂはそのロック解除用スプリング２８によるロック解除操作部材２６の回動停止位置を規制する役割を果たす。このロック解除操作部材２６の操作時には、ロック解除操作部材２６は、ストッパ２７ｂから離間し、ストッパ２７ａに接近する方向に回動される。このロック解除操作部材２６の操作方向への回動量はストッパ２７ａによって規制される。
【０１４２】
この構成によれば、撮像ユニット２をカメラボディ１にセットする際に、被ロック爪２ｐの傾斜壁２ｐ’がロック爪２５ｃの傾斜壁２５ｃ’に当接して傾斜壁２５ｃ’に生じる分力がロック部材の回動付勢力よりも大きくなると、ロック部材２５が支軸２７を支点にして回動付勢力の作用する方向とは反対方向（矢印Ｆ６とは反対方向）に回動される。
【０１４３】
ついで、被ロック爪２ｐがロック爪２５ｃを乗り越えると、ロック部材２５がその回動付勢力により元の位置に復帰する。これにより、ロック爪２５ｃが切り欠き部２ｎに進入する。また、被ロック爪２ｐが切り欠き部２５ｂに進入する。これにより、ロック爪２５ｃと被ロック爪２ｐとが噛み合い、撮像ユニット２はカメラボディ１に対して左右方向にロックされる。また、カメラボディ１に対する撮像ユニット２のロックを解除するときには、ロック解除ボタン２６ｄをそのロック解除用スプリング２８の付勢方向とは反対方向（図１９において矢印Ｆ７方向（左方向））に操作する。
【０１４４】
このように、この変形例では、通常使用時に、撮影者が使用し易い左方向が解除操作方向となっているので、グリップ部１ｃの通常の握持状態で、カメラボディ１を持ち替えることなく撮像ユニット２をカメラボディ１から取り外すことができ、撮像ユニット２の交換の迅速化を図ることができる。
【０１４５】
側壁部１Ｃから離れる向き（左から右）に撮像ユニット２を移動させるという１つの動作によって、ロック部材と被ロック部材との分離と、コネクタ部１１、１２による電気的な接続の解除とがほぼ同時に完了するので、撮像ユニット２のカメラボディ１からの取り外し操作を短時間で、容易に行うことができる。
【０１４６】
なお、ロック解除ボタン２６ｄに、ロックを解除する操作方向への動作を許可するロック解除許容部としての出没突起を設けても良い。この出没突起の埋没方向への操作によりロックを解除する操作方向への動作が許可される構成とすると、ツーアクションによりロックを解除する構成となるので、ロック解除ボタン２６ｄの誤操作のリスクの低減をより一層図ることができる。すなわち、ロック解除操作部材２６の操作をツーアクション構造としたので、ロック解除ボタン２６ｄの誤操作のリスクの低減をより一層図ることができる。
（撮像ユニット２の変形例）
カメラボディ１の背壁部１Ｂに図３、図４、図５、図７に示す板金部材４を設け、撮像ユニット２の背面に図６、図２１に示す板金部材２Ｂを設けて、両板金部材４、２Ｂを対面させて、カメラボディ１に対して撮像ユニット２を左右方向にスライドさせて着脱する構成とした場合、両板金部材４、２Ｂの擦り合わせに起因する擦過音が生じる。また、摺接リブ２３ａ、２３ｂと上縁壁４ａ’、下縁壁４ａ’の擦り合わせに起因する擦過音が生じる。
【０１４７】
そこで、この変形例では、図６、図２１に示す筐体２Ａの背面側に以下に説明する工夫がされている。以下、その詳細構成を、図２８〜図３５を参照しつつ説明する。
【０１４８】
図２８、図２９は、撮像ユニット２の筐体２Ａの背面２ｂの部分を破断で示す斜視図である。筐体２Ａの背面側には、図３０に部分的に拡大して示すように、矩形状の第１凹処２ｓとこの第１凹処２ｓよりも小さい矩形状の第２凹処２ｔとが設けられている。第２凹処２ｔは第１凹処２ｓ内に形成されている。この第１凹処２ｓには、図３１、図３２に示す板金部材２Ｂが配置される。この図３１、図３２に示す板金部材２Ｂには、摺接リブ２３ａ、２３ｂを除いて図６に示す板金部材２Ｂと同一構成のものが用いられるので、図６、図２１に示す板金部材２Ｂと同一構成要素に同一符号を付して、その詳細な説明は省略する。
【０１４９】
その第２凹処２ｔ内には、図３３、図３４に示す矩形状の樹脂薄板３０が配置される。この図３３、図３４に示す樹脂薄板３０と板金部材２Ｂとを止めネジによって筐体２Ａの背面２ｂに固定することによって、図３５に示す板金部材ユニット３１が構成されている。その樹脂板３０にはその一側面に、一対の矩形状の厚肉部３０ａが上下方向に間隔を開けて形成されている。この一対の厚肉部３０ａは長穴２３ｇに対応して配置されている。
、また、その樹脂板３０にはその一側面に、一対の矩形状の厚肉部３０ａから左右方向に間隔を開けて一対の厚肉部３０ｂが上下方向に間隔を開けて形成されている。この一対の厚肉部３０ｂは長穴２３ｈに対応して配置されている。これらの厚肉部３０ａ、３０ｂは長穴２３ｇ、２３ｈに挿入可能な形状とされている。
【０１５０】
厚肉部３０ａには左右方向に長く延びる突条部３０ｃが形成されると共に、左右方向に長く延びる接触面部３０ｄが形成されている。その突条部３０ｃは摺接リブ２３ａ、２３ｂとしての役割を果たす。その厚肉部３０ｂには、切り起こし部２３ｅに対する干渉を防止するために切り欠き部３０ｅが形成されると共に、接触面部３０ｆが形成されている。この樹脂板３０にはネジ穴２ｈ’に対応する貫挿穴３０ｈが形成されている。この樹脂板３０の他側面には、半球形状小突部３０ｉが図３４に示すように適宜箇所に形成されている。この半球形状小突部３０ｉは図３０に示すように第２凹処２ｔを構成する壁部２ｔ’に当接して、板金部材ユニット３１の厚さ方向の寸法公差に起因する樹脂板３０の反り返りを防止する役割を果たす。
【０１５１】
このように、この変形例では、摺接リブ２３ａ、２３ｂが樹脂製の突条部３０ｃにより形成されているので、カメラボディ１に対して撮像ユニット２を左右方向にスライドさせて着脱する構成とした場合、摺接リブ２３ａ、２３ｂと上縁壁４ａ’、下縁壁４ｂ’の擦り合わせに起因する擦過音を低減できる。また、板金部材２Ｂに対して樹脂製の接触面部３０ｄ、３０ｆが摺動することになるので、板金部材４と板金部材ユニット３１との擦り合わせに起因する擦過音の低減を図ることもできる。
【０１５２】
また、板金部材ユニット３１の樹脂板３０を用いて、カメラボディ１に対して撮像ユニット２を左右方向にスライドさせて着脱する際の擦過音の低減を図る構成としたとき、撮像ユニット２をカメラボディ１に対して背面壁構成体１に向けて押しつけると、半球形状小突部３０ｉがないと、樹脂板３０が寸法公差に起因して弾性変形し、樹脂板３０が反り返って、いわゆる「ぱくつき音」が生じる。
【０１５３】
これに対して、この変形例では、半球形状小突部３０ｉが適宜箇所に複数個形成され、寸法公差上、第２凹処２ｔの深さよりも樹脂板３０の厚さが実質的に厚くなるように工夫して、樹脂板３０の接触面部３０ｄ、３０ｆが板金部材４又は背壁部１Ｂに確実に押し付けられる構成としたので、寸法公差に起因する反り返り、弾性変形が防止される。
【０１５４】
この実施例、変形例では、撮像ユニット２をカメラボディ１に矢印Ｆ３方向から接近させ、ついで、右から左方向に移動させて撮像ユニット２とカメラボディ１との電気的接続を図る構成としたが、右から左方向への移動のみで撮像ユニット２とカメラボディ１との電気的接続を図る構成としても良い。
（カメラボディ１、撮像ユニット２に搭載される電装部品の回路構成）
次に、図３６を参照しつつカメラボディ１、撮像ユニット２に搭載される電装部品について説明する。
【０１５５】
カメラボディ１には、例えば、図３６に示すように、リチウムイオンバッテリ２０４、ストロボ発光部２０７（５ａ）、電子ビューファインダー装置２０９、表示部としての表示面を１ｂを有する液晶表示装置（ＬＣＤ）２１０、ハイビジョンテレビジョンコネクタインタフェース（ＨＤＭＩＩＦ）２１２、オーディオビデオ（ＡＶOUT）出力端子２１３、ＵＳＢインターフェース（USBIF）２１４、ＳＤカードインタフェース（SDｃaｒｄ）２１５、オーディオコーデック回路（AUｄiｏ  ｃｏｄeｃ）２１６、スピーカ２１７、マイクロフォン２１８、画像データを記憶する記録媒体としてのフラッシュＲＯＭ（Ｆｌａｓｈ  ＲＯＭ）２１９、ＤＤＲ−ＳＤＲＡＭ２２０、画像データを受信する受信部としても機能するメインＣＰＵ２０８、撮像指示を与える操作スイッチ２０６、２１１、操作スイッチ２０６からの撮像指示を受け付ける撮像指示受付部としてのサブＣＰＵ（Ｓuｂ  CPU）２０５、ＤＣ／ＤＣ電源回路２０３、スイッチング素子２０２、コネクタ部１２としてのコネクタ端子２０１が設けられている。
【０１５６】
これらは、撮像装置としてのデジタルカメラに要求される公知の機能を有する電装部品の一部を構成している。その操作スイッチ２０６は例えばレリーズシャッタースイッチ５ｙであり、操作スイッチ２１１は例えば液晶表示装置（ＬＣＤ）２１０等を操作する操作キーである。その液晶表示装置（ＬＣＤ）２１０は例えば背壁部１Bに設けられている。その操作スイッチ２１１はその背壁部１Bの適宜箇所に設けられる。
【０１５７】
撮像ユニット２の筐体２Ａには、光学系としての撮像レンズユニット１０７、撮像素子１０８、ＡＦＥ回路１０９、ホール素子（Hall  eｌeｍnｔ）１０４、駆動コイル（Coiｌ）１０５、ジャイロセンサ（Gｙｒoｓenｓoｒ）１０６、駆動ドライバ（Moｔoｒ  Dｒiｖeｒ）１１１、駆動モータ（M）１１０、加速度検出センサ１１２、テレワイド検出スイッチ１１３、画像データを送信するコネクタ部１１としてのコネクタ端子１１６が設けられている。
【０１５８】
これらも撮像装置としてのデジタルカメラに要求される公知の機能を有する実装部品の一部を構成している。その撮像レンズユニット１０７は複数個のレンズを有し、この複数個のレンズ系の一部は可動鏡筒３ｂに設けられている。なお、この実施例では、駆動モータ（M）１１０、駆動ドライバ１１１を撮像ユニット２に設ける構成として説明しているが、これらはカメラボディ１に設ける構成とすることもできる。
【０１５９】
ここでは、撮像ユニット２にはカメラボディ１から電源電力が供給される。例えば、ホール素子１０４、駆動コイル１０５、ジャイロセンサ１０６は手ぶれ補正機構の一部を構成している。この手ぶれ補正機構の信号はコネクタ端子１１６、２０１を介してメインＣＰＵ２０８に入力され、メインＣＰＵ２０８はこれらの信号に基づき手ぶれ補正処理を実行する。手ぶれ補正処理は、手ぶれによって発生する撮像素子の受光面上に投影される画像のぶれを補正する処理である。例えば、ジャイロセンサ１０６により検出したぶれの方向と反対の方向に撮像素子を駆動する処理であっても良いし、また、ジャイロセンサ１０６により検出したぶれの方向と同一の方向に撮像レンズユニット１０７の一部の光学素子を駆動する処理であっても良い。撮像素子１０８の映像信号はＡＦＥ回路１０９を介してメインＣＰＵ２０８に入力され、所定の画像処理が施されてＬＣＤ２１０等に表示される。
【０１６０】
テレワイド検出スイッチ１１３はコネクタ端子１１６、２０１を介してメインＣＰＵ２０８に入力され、メインＣＰＵ２０８はテレワイド検出スイッチ１１３、操作スイッチ２１１等のスイッチ信号に基づいて駆動ドライバ１１１、駆動モータ１１０を制御し、これにより、撮像レンズユニット１０７を駆動制御する。加速度検出センサ１１２の検出出力は、コネクタ端子１１６、２０１を介してメインＣＰＵ２０８に入力され、メインＣＰＵ２０８はその加速度センサ１１２の検出出力に基づいてＬＣＤ２１０に表示される画像の傾きを制御する。ＬＣＤ２１０には、加速度センサ１１２の検出出力に基づいて、水平に対する撮像ユニット２の傾き具合が表示される。水平に対する撮像ユニット２の傾き具合は、数値による表示であっても、映像による表示あっても良い。
【０１６１】
操作スイッチ２０６を操作すると、その撮像指示に基づいて、撮像ユニット２が被写体を撮像して画像データに変換する。コネクタ端子１１６はこの画像データをメインＣＰＵ２０８に送信する。
【０１６２】
その撮像ユニット２に、図３７に示すように、ＤＣ／ＤＣ電源回路１０１、サブＣＰＵ１０２、メインＣＰＵ１０３、フラッシュＲＯＭ１１４、ＤＤＲＳＤＲＡＭ１１５を設け、メインＣＰＵ１０３で画像処理を行った後、コネクタ端子１１６、２０１を介して画像処理信号をメインＣＰＵ２０８に送信する構成を採用することもできる。メインＣＰＵ１０３でＪＰＥＧ等のフォーマットへの圧縮処理を行い、コネクタ端子１１６、２０１を介して圧縮された画像データをメインＣＰＵ２０８に送信する構成を採用することもできる。このように、撮像ユニット２で画像処理、又は、圧縮処理を行う構成とすると、ノイズの少ない安定した画像をカメラボディ１のメインＣＰＵ２０８に送信することができる。これらの電装部品は後述する電装基盤に配設される。
【０１６３】
このように、この発明の実施例、変形例によれば、図１（ａ）、図１（ｂ）に示すように、同一のカメラボディ１に対して、異なる大きさの撮像ユニット２を着脱可能である。なお、撮像ユニット２をカメラボディ１に装着したときに、撮像ユニット２の筐体２Ａの下面とカメラボディ１の下面とが面一となるように、カメラボディ１、撮像ユニット２を構成すると、撮像ユニット２が装着されたカメラボディ１の取り扱いが容易になる。更に、異なる大きさの撮像ユニット２をカメラボディ１に装着したときはいつでも、撮像ユニット２の筐体２Ａの下面とカメラボディ１の下面とが面一となるように、カメラボディ１、撮像ユニット２を構成すると、いずれの撮像ユニット２が装着されたカメラボディ１でも、取り扱いが容易となる。
【０１６４】
カメラボディ１の凹部１Ａは三方向（右、下、前）に開放され、カメラボディ１に対する撮像ユニット２の大きさの制約が緩和されているので、顧客のニーズに合わせて大型の高感度撮像素子や小型の撮像素子を撮像ユニット２に配設することができ、左右上下前後方向に大きさの違う撮像ユニット２を共通のカメラボディ１に着脱できる。また、例えば、撮像ユニット２のレンズ鏡胴３の大きさの自由度を従来に較べて向上させたので、単焦点レンズから高倍率ズームレンズまでの多種多様の交換レンズ群ユニットとして、撮像ユニットを提供できる。従って、顧客は、撮像素子１０８の進歩に応じて撮像ユニット２のみを購入し、グレードアップを図ることができることになる。
【０１６５】
カメラボディ１の凹部１Ａは、右と下との２方向が開放されていることにより、左右上下方向に大きさの異なる撮像ユニット２を装着することが可能である。よって、カメラボディ１に対する撮像ユニット２の大きさの制約が緩和されているので、顧客のニーズに合わせて大型の高感度撮像素子や小型の撮像ユニット２に配設することができ、レンズ鏡胴３や撮像素子の異なる、大きさの違う撮像ユニット２を共通のカメラボディ１に着脱できる。また、例えば、撮像ユニット２のレンズ鏡胴３の大きさの自由度を従来に較べて向上させたので、単焦点レンズから高倍率ズームレンズまでの多種多様の交換レンズ群ユニットとして、撮像ユニット２を提供できる。従って、顧客は、撮像素子１０８の進歩に応じて撮像ユニット２のみを購入し、グレードアップを図ることができることになる。
【０１６６】
また、カメラボディ１と撮像ユニット２との間で通信を行うコネクタ部１１、１２に、６８ピンのベイコネクタを用いたので、短時間で容量の大きい画像データの転送を行うことができる。なお、カメラボディ１と撮像ユニット２との間の通信を行うために、その他の方式、例えば、無線通信方式、光通信方式を用いても良い。
（コネクタ基盤と電装基盤との配置構成）
（第１例）
図３８はコネクタ基盤と電装基盤との配置関係を説明するための第１例を示す模式図である。筐体２Ａの内部には電装基盤３２が設けられている。この筐体２Ａの背面には、手ぶれ補正機構が設けられている。その手ぶれ補正機構に撮像素子１０８が設けられる。この図３８においては、手ぶれ補正機構の詳細構造は、説明の簡略化を図るために省略されている。
【０１６７】
電装基盤３２は第１分割基盤３３と第２分割基盤３４との２枚の分割基盤から構成されている。この第１分割基盤３３と第２分割基盤３４とは光軸Ｏに対して平行に配置されている。ここでは、この第１分割基盤３３と第２分割基盤３４とは互いに上下に重ねて合わせて配置されている。その各分割基盤３３、３４には実装部品３５ａ、３５ｂ、３５ｃ等が設けられている。実装部品３５ａは例えば画像処理チップであり、実装部品３５ｂは例えばフラッシュＲＯＭ１１４であり、実装部品３５ｃは電源回路の構成部品としての回路素子である。これらの実装部品３５ａ〜３５ｃは各分割基盤３３、３４から突出している。
【０１６８】
ここでは、第１分割基盤３３に実装されている実装部品３５ａ、３５ｂと第２分割基盤３４に実装されている実装部品３５ｃとは、これらの実装部品が搭載されている面同士が互いに向き合わされて、かつ、互いに干渉しないように互い違いに配置されている。これにより、分割基盤３３、３４の実装部品同士の重なりによる厚さが嵩まないようにされている。その第１分割基盤３３は板間コネクタ（図示を略す）により第２分割基盤３４に電気的に接続される。筐体２Ａの背面には、各分割基盤３３、３４の辺部が嵌合する嵌合溝３６、３７が形成されている。その第２分割基盤３４は、その嵌合溝３７とＬ次形状の取り付け部材３８とにより筐体２Ａに固定される。なお、符号３９は止めネジを示す。その第１分割基盤３３は、その嵌合溝３６と板間コネクタとにより第２分割基盤３４に対して固定される。
【０１６９】
その第２分割基盤３４と撮像素子１０８とはフレキシブルプリント基盤４０を介して電気的に接続されている。また、コネクタ部１１を取り付ける取り付け基盤（図示を略す）と第２分割基盤３４もフレキシブルプリント基盤（図示を略す）を介して電気的に接続されている。
【０１７０】
電装基盤３２を第１分割基盤３３と第２分割基盤３４との２分割構成とすると、筐体２Ａを大面積化することなく、実装部品の配置面積の拡大を図ることができる。また、この第１分割基盤３３と第２分割基盤３４とを光軸Ｏに対して平行に配置し、かつ、可動鏡筒３ｂ及び撮像素子１０８を光軸方向に重なるように配置したので、光軸Ｏの方向の筐体２Ａの長さを短くできる。
【０１７１】
第１分割基盤３３と第２分割基盤３４とを重ね合わせて配置した場合でも、第１分割基盤３３に配設された実装部品間に第２分割基盤３４に配設された実装部品が位置するようにして、分割基盤同士を互いに重ね合わせる構成にしたので、分割基盤３３、３４の重ね合わせによる筐体２Ａの上下方向の厚さが増すのを防止できる。
【０１７２】
更に、撮像素子１０８を電装基盤３２から分離する構成としたので、撮像素子１０８を電装基盤３２に直接実装した場合に較べて、レンズ系の光軸Ｏに対する撮像素子１０８の位置調整の容易化を図ることができる。また、電装基盤３２に撮像素子１０８を直接実装することにすると、手ぶれ補正機構の構造が複雑化するが、この第１例によれば、撮像素子１０８を直接駆動できるので、手ぶれ補正機構の構造の簡単化を図ることができる。
【０１７３】
以下、図３９、図４０にこの意匠性の改善を図った電装基盤３２の配置構成を第２例として説明する。
（第２例）
図３９、図４０に示すように、この第２例では、第１分割基盤３３と第２分割基盤３４とが可動鏡筒３ｂを挟んで上下に配置されている。第１分割基盤３３はＬ次形状の取り付け部材４２と嵌合溝４３とによって筐体２Ａの内部に固定される。第２分割基盤３４はＬ次形状の取り付け部材４４と嵌合溝４５とによって筐体２Ａの内部に固定される。
【０１７４】
第１分割基盤３３には画像処理チップ等の実装部品３５ａ、３５ｂが配設される。第２分割基盤３４には電源回路を構成する実装部品３５ｃが配設される。その第１分割基盤３３とコネクタ基盤４１とは図４０に示すようにフレキシブルプリント基盤４６によって電気的に接続される。第２分割基盤３４とコネクタ基盤４１とはリード線４７を介して電気的に接続される。その第１分割基盤３３と第２分割基盤３４とはフレキシブルプリント基盤４８を介して接続される。このように、コネクタ基盤４１と分割基盤３３、３４とが別々に構成されているので、コネクタ部１１が故障した際にそのコネクタ部１１の交換が容易となっている。
【０１７５】
フレキシブルプリント基盤４８はコネクタ基盤４１から遠い側の筐体２Ａの右側壁の内面に沿わせて配設されているので、コネクタ部１１に発生した電気ノイズによる影響がフレキシブルプリント基盤４８を介して第１分割基盤３３に及ぶのを低減できる。
【０１７６】
この第２例では、コネクタ部１１とコネクタ基盤４１とを筐体２Ａの左側に配置した場合について説明したが、図４１に示すように、コネクタ部１１とコネクタ基盤４１とを筐体２Ａの上側に配置し、分割基盤３３、３４を可動鏡筒３ｂを境にして上下に配置する構成とすることもできる。この図４１に示す構成も図３９、図４０に示す構成と同様の効果を有する。なお、このようにコネクタ部１１とコネクタ基盤４１とを配置する構成を採用した場合には、カメラボディ１をこの図４０に示す筐体２Ａに対応する構成とする必要がある。
（その他）
以上、発明の実施の形態について説明したが、本発明は、これに限られるものではなく、例えば、図４２〜図４５に示すように、カメラボディ１の上壁部１Ｄの上面１ｆにストロボ装置と電子ビューファインダー１ｇとを装着可能なホットシュー部５ｄと、電子ビューファインダー接続端子５ｅと、ポップアップ式のストロボ発光部５ｂと、モードダイアルスイッチ５ｈとを設ける構成としても良い。なお、図４２に示す電子ビューファインダー接続端子５ｅは雌型コネクタから構成されている。この電子ビューファインダー接続端子５ｅには図４４に示す雄型コネクタとしての電子ビューファインダー接続端子５ｅ’が嵌合される。
【０１７７】
なお、その図４２〜図４５において、図４２はカメラボディ１を背面側から目視した状態であって電子ビューファインダー１ｇのカメラボディ１への装着前の状態を示し、図４３はカメラボディ１を背面側から目視した状態であって電子ビューファインダー１ｇのカメラボディ１への装着状態を示し、図４４はカメラボディ１を正面側から目視した状態であって電子ビューファインダー１ｇのカメラボディ１への装着前の状態を示し、図４５はカメラボディ１を正面から目視した状態であって電子ビューファインダー１ｇのカメラボディ１への装着状態を示している。
【０１７８】
以上、各実施例について説明したが、本発明に係わる撮像装置は、これらの各実施例の構成を適宜組み合わせて形成できるものである。
【産業上の利用可能性】
【０１７９】
本発明のカメラボディ１は、直方体形状の筐体２Ａに光学系と撮像素子とが設けられた撮像ユニット２を着脱可能な凹部１Ａを有する。この凹部１Ａは、カメラボディ１に撮像ユニット２を配設してこれを正面から見たとき、筐体２Ａの背面が臨む背壁部１Ｂと、背壁部１Ｂと直交しかつ筐体２Ａの左側面が臨む側壁部１Ｃと、両壁部に対して直交しかつ筐体２Ａの上面が臨む上壁部１Ｄとの三つの壁部から構成されている。側壁部１Ｃと上壁部１Ｄとの交差部分に、撮像ユニット２をロックする機能と撮像ユニット２のロックを解除する機能とを有するロック機構２４が配設されている。ロック機構２４は、被ロック爪２ｐと協働して撮像ユニット２をロックするロック爪２５ｃと、ロック爪２５ｃに作用して撮像ユニット２に対するロックを解除するロック解除ボタン２６ｄとから構成される。
【符号の説明】
【０１８０】
１…カメラボディ１
２…撮像ユニット
１Ａ…凹部
１Ｂ…背壁部
１Ｃ…側壁部
１Ｄ…上壁部
２Ａ…筐体
２４…ロック兼用ロック解除機構
２ｐ…被ロック爪
２５ｃ…ロック爪
２６ｄ…ロック解除ボタン
【先行技術文献】
【特許文献】
【０１８１】
【特許文献１】特開２００７−１７３９０９号公報
【図１（ａ）】
2010239170.tif 000003
【図１（ｂ）】
2010239170.tif 000004
【図２】
2010239170.tif 000005
【図３】
2010239170.tif 000006
【図４】
2010239170.tif 000007
【図５】
2010239170.tif 000008
【図６】
2010239170.tif 000009
【図７】
2010239170.tif 000010
【図８】
2010239170.tif 000011
【図９】
2010239170.tif 000012
【図１０】
2010239170.tif 000013
【図１１】
2010239170.tif 000014
【図１２】
2010239170.tif 000015
【図１３】
2010239170.tif 000016
【図１４】
2010239170.tif 000017
【図１５】
2010239170.tif 000018
【図１６】
2010239170.tif 000019
【図１７】
2010239170.tif 000020
【図１８】
2010239170.tif 000021
【図１９】
2010239170.tif 000022
【図２０】
2010239170.tif 000023
【図２１】
2010239170.tif 000024
【図２２】
2010239170.tif 000025
【図２３】
2010239170.tif 000026
【図２４】
2010239170.tif 000027
【図２５】
2010239170.tif 000028
【図２６】
2010239170.tif 000029
【図２７】
2010239170.tif 000030
【図２８】
2010239170.tif 000031
【図２９】
2010239170.tif 000032
【図３０】
2010239170.tif 000033
【図３１】
2010239170.tif 000034
【図３２】
2010239170.tif 000035
【図３３】
2010239170.tif 000036
【図３４】
2010239170.tif 000037
【図３５】
2010239170.tif 000038
【図３６】
2010239170.tif 000039
【図３７】
2010239170.tif 000040
【図３８】
2010239170.tif 000041
【図３９】
2010239170.tif 000042
【図４０】
2010239170.tif 000043
【図４１】
2010239170.tif 000044
【図４２】
2010239170.tif 000045
【図４３】
2010239170.tif 000046
【図４４】
2010239170.tif 000047
【図４５】
2010239170.tif 000048